(57)【要約】デジタルおよびハイブリッド空間変調が開示される。送信エンティティは、デジタル又はハイブリッド空間変調を実行するように構成されてもよい。デジタル空間変調のケースでは、送信エンティティは、複数の符号化されたデータビットを振幅位相変調（ＡＰＭ）ビットおよび仮想アンテナインデックスビットに分割してもよい。送信エンティティは、ＡＰＭビットを変調されたデータシンボルに変調してもよい。送信エンティティは、分割された仮想アンテナインデックスビット、およびプリコーディングベクトルのセットのうちの１つのプリコーディングベクトルに基づいて、仮想アンテナポートを決定してもよい。送信エンティティは、仮想アンテナポートに基づいて、変調されたデータシンボルを送信レイヤにマッピングしてもよい。送信エンティティは、マッピングされ、変調されたデータシンボルを送信してもよい。ハイブリッド空間変調のケースでは、符号化されたデータは、物理アンテナインデックスビットに分割されてもよく、マッピングされ、変調されたデータシンボルは、物理アンテナポートを介して送信されてもよい。
2019531624.tif 000002
【特許請求の範囲】
【請求項１】
複数の符号化されたデータビットを振幅位相変調（ＡＰＭ）ビットおよび仮想アンテナインデックスビットに分割し、
前記ＡＰＭビットを変調されたデータシンボルに変調し、
仮想アンテナポートを決定し、前記仮想アンテナポートは、前記仮想アンテナインデックスビット、およびプリコーディングベクトルのセットのうちの１つのプリコーディングベクトルに基づいて決定され、
前記変調されたデータシンボルを送信レイヤにマッピングし、前記変調されたデータシンボルは、前記決定された仮想アンテナポートに基づいて前記送信レイヤにマッピングされる
ように構成されたプロセッサと、
前記送信レイヤ上で、前記マッピングされ、変調されたデータシンボルを少なくとも送信するように構成された送信機と
を備えたことを特徴とする無線送信／受信ユニット（ＷＴＲＵ）。
【請求項２】
前記仮想アンテナポートは、インデックス付けされた送信レイヤであることを特徴とする請求項１に記載のＷＴＲＵ。
【請求項３】
プリコーディングベクトルの前記セットは、予め構成されていることを特徴とする請求項１に記載のＷＴＲＵ。
【請求項４】
プリコーディングベクトルの前記セットは、無線リソース制御（ＲＲＣ）シグナリング又はシステム情報を介してシグナリングされることを特徴とする請求項１に記載のＷＴＲＵ。
【請求項５】
プリコーディングベクトルの前記セットは、送信機と受信機との間で同期されることを特徴とする請求項１に記載のＷＴＲＵ。
【請求項６】
前記仮想アンテナポートは、少なくとも１つのプリコーディングされた参照信号を含むことを特徴とする請求項１に記載のＷＴＲＵ。
【請求項７】
前記プロセッサは、前記符号化されたデータビットから導出された情報に基づいて、プリコーディングベクトルの前記セットを選択するように構成されていることを特徴とする請求項１に記載のＷＴＲＵ。
【請求項８】
前記プロセッサは、
受信機からフィードバックプリコーディングベクトルのセットを受信し、
前記受信されたフィードバックプリコーディングベクトルのセットに基づいて、プリコーディングベクトルの前記セットを選択する
ように構成されていることを特徴とする請求項１に記載のＷＴＲＵ。
【請求項９】
プリコーディングベクトルの前記セットは、制御チャネル上で搬送されたダウンリンク制御情報を介してシグナリングされることを特徴とする請求項１に記載のＷＴＲＵ。
【請求項１０】
前記制御チャネルは、新たな無線物理ダウンリンク制御チャネル（ＮＲ−ＰＤＣＣＨ）、新たな無線拡張物理ダウンリンク制御チャネル（ＮＲ−Ｅ−ＰＤＣＣＨ）、又は新たな無線物理ダウンリンク共有チャネル（ＮＲ−ＰＤＳＣＨ）のうちの１つであることを特徴とする請求項９に記載のＷＴＲＵ。
【請求項１１】
プリコーディングベクトルの前記セットは、参照信号を介して示されることを特徴とする請求項１に記載のＷＴＲＵ。
【請求項１２】
複数の符号化されたデータビットを振幅位相変調（ＡＰＭ）ビットおよび仮想アンテナインデックスビットに分割するステップと、
前記ＡＰＭビットを変調されたデータシンボルに変調するステップと、
仮想アンテナポートを決定するステップであって、前記仮想アンテナポートは、前記仮想アンテナインデックスビット、およびプリコーディングベクトルのセットのうちの１つのプリコーディングベクトルに基づいて決定される、ステップと
前記変調されたデータシンボルを送信レイヤにマッピングするステップであって、前記変調されたデータシンボルは、前記決定された仮想アンテナポートに基づいて前記送信レイヤにマッピングされる、ステップと、
前記送信レイヤ上で、前記マッピングされ、変調されたデータシンボルを送信するステップと
を備えたことを特徴とする空間変調と関連付けられ方法。
【請求項１３】
前記仮想アンテナポートは、インデックス付けされた送信レイヤであることを特徴とする請求項１２に記載の方法。
【請求項１４】
プリコーディングベクトルの前記セットは、予め構成されていることを特徴とする請求項１２に記載の方法。
【請求項１５】
プリコーディングベクトルの前記セットは、無線リソース制御（ＲＲＣ）シグナリング又はシステム情報を介してシグナリングされることを特徴とする請求項１２に記載の方法。
【請求項１６】
プリコーディングベクトルの前記セットは、送信機と受信機との間で同期されることを特徴とする請求項１２に記載の方法。
【請求項１７】
前記仮想アンテナポートは、少なくとも１つのプリコーディングされた参照信号を含むことを特徴とする請求項１２に記載の方法。
【請求項１８】
前記符号化されたデータビットから導出された情報に基づいて、プリコーディングベクトルの前記セットを選択するステップをさらに備えたことを特徴とする請求項１２に記載の方法。
【請求項１９】
受信機からフィードバックプリコーディングベクトルのセットを受信するステップと、
前記受信されたフィードバックプリコーディングベクトルのセットに基づいて、プリコーディングベクトルの前記セットを選択するステップと
をさらに備えたことを特徴とする請求項１２に記載の方法。
【請求項２０】
プリコーディングベクトルの前記セットは、制御チャネル上で搬送されたダウンリンク制御情報を介してシグナリングされることを特徴とする請求項１２に記載の方法。
【請求項２１】
前記制御チャネルは、新たな無線物理ダウンリンク制御チャネル（ＮＲ−ＰＤＣＣＨ）、新たな無線拡張物理ダウンリンク制御チャネル（ＮＲ−Ｅ−ＰＤＣＣＨ）、又は新たな無線物理ダウンリンク共有チャネル（ＮＲ−ＰＤＳＣＨ）のうちの１つであることを特徴とする請求項２０に記載の方法。
【請求項２２】
プリコーディングベクトルの前記セットは、参照信号を介して示されることを特徴とする請求項１２に記載の方法。
【請求項２３】
複数の符号化されたデータビットを振幅位相変調（ＡＰＭ）ビット、仮想アンテナインデックスビット、および物理アンテナインデックスビットに分割し、
前記ＡＰＭビットを変調されたデータシンボルに変調し、
仮想アンテナポートを決定し、前記仮想アンテナポートは、前記仮想アンテナインデックスビット、およびプリコーディングベクトルのセットのうちの１つのプリコーディングベクトルに基づいて決定され、
物理アンテナポートを決定し、前記物理アンテナポートは、前記物理アンテナインデックスビットに基づいて決定され、
前記変調されたデータシンボルを少なくとも１つの送信レイヤにマッピングし、前記変調されたデータシンボルは、前記決定された仮想アンテナポートに基づいてマッピングされる
ように構成されたプロセッサと、
前記物理アンテナポートを介して前記仮想アンテナポートを使用して、前記マッピングされ、変調されたデータシンボルを少なくとも送信するように構成された送信機と
を備えたことを特徴とする無線送信／受信ユニット（ＷＴＲＵ）。
【請求項２４】
前記仮想アンテナポートは、インデックス付けされた送信レイヤであることを特徴とする請求項２３に記載のＷＴＲＵ。
【請求項２５】
前記物理アンテナポートは、到達角度に基づいていることを特徴とする請求項２３に記載のＷＴＲＵ。
【請求項２６】
プリコーディングベクトルの前記セットは、予め構成されていることを特徴とする請求項２３に記載のＷＴＲＵ。
【請求項２７】
プリコーディングベクトルの前記セットは、無線リソース制御（ＲＲＣ）シグナリング又はシステム情報を介してシグナリングされることを特徴とする請求項２３に記載のＷＴＲＵ。
【請求項２８】
プリコーディングベクトルの前記セットは、送信機と受信機との間で同期されることを特徴とする請求項２３に記載のＷＴＲＵ。
【請求項２９】
前記仮想アンテナポートは、少なくとも１つのプリコーディングされた参照信号を含むことを特徴とする請求項２３に記載のＷＴＲＵ。
【請求項３０】
前記プロセッサは、前記符号化されたデータビットから導出された情報に基づいて、プリコーディングベクトルの前記セットを選択するように構成されていることを特徴とする請求項２３に記載のＷＴＲＵ。
【請求項３１】
前記プロセッサは、
受信機からフィードバックプリコーディングベクトルのセットを受信し、
前記受信されたフィードバックプリコーディングベクトルのセットに基づいて、プリコーディングベクトルの前記セットを選択する
ように構成されていることを特徴とする請求項２３に記載のＷＴＲＵ。
【請求項３２】
プリコーディングベクトルの前記セットは、制御チャネル上で搬送されたダウンリンク制御情報を介してシグナリングされることを特徴とする請求項２３に記載のＷＴＲＵ。
【請求項３３】
前記制御チャネルは、新たな無線物理ダウンリンク制御チャネル（ＮＲ−ＰＤＣＣＨ）、新たな無線拡張物理ダウンリンク制御チャネル（ＮＲ−Ｅ−ＰＤＣＣＨ）、又は新たな無線物理ダウンリンク共有チャネル（ＮＲ−ＰＤＳＣＨ）のうちの１つであることを特徴とする請求項３２に記載のＷＴＲＵ。
【発明の詳細な説明】
【技術分野】
【０００１】
本発明は、無線通信技術に関し、特に、次世代無線システムに対する空間変調に関する。
【０００２】
関連技術の相互参照
本出願は、２０１６年８月１０日に出願された米国特許仮出願第６２／３７３，２９６号の利益を主張するものであり、その内容が全体的に参照により本明細書に組み込まれる。
【背景技術】
【０００３】
出現しつつある５Ｇシステムは、以下の使用例のうちの１つまたは複数のものを有することができる、すなわち、拡張モバイルブロードバンド（eMBB:Enhanced Mobile Broadband）、大容量マシンタイプ通信（mMTC:Massive Machine Type Communications）、または超高信頼低遅延通信（URLLC:Ultra Reliable and Low Latency Communications）である。これらの使用例は、１つまたは複数の国際通信連合無線部門（ITU-R）、次世代モバイルネットワーク（NGMN）、または第３世代パートナーシッププロジェクト（3GPP）要件に基づくことができる。使用例は、例えば、高いデータ転送速度、高いスペクトル効率、低電力および高エネルギー効率、または低遅延および高信頼性のうちの１つまたは複数のものを含む様々な要件に焦点を合わせることができる。
【０００４】
空間変調などの変調技法は、送信機におけるアンテナインデックスに情報を変調することにより、アナログ領域で動作することができる。このような変調技法は、物理的な送信アンテナの数に限定され、したがって、柔軟性がなく、限定されたスペクトル効率を有することがある。例えば、スペクトル効率を高めるために、向上させた空間変調技法が望ましいこともある。
【発明の概要】
【０００５】
デジタルおよびハイブリッド空間変調に対するシステム、方法、および手段が開示される。送信エンティティ（例えば、ユーザデバイスまたはネットワークデバイス）は、デジタル空間変調を実施するように構成されてもよい。送信エンティティは、複数の符号化されたデータビットを、振幅位相変調（APM）ビットおよび仮想アンテナインデックスビットへと分割することができる。送信エンティティは、ＡＰＭビットを変調されたデータシンボルへと変調することができる。送信エンティティは、仮想アンテナポートを決定することができる。仮想アンテナポートは、分割された仮想アンテナインデックスビットと、プリコーディングベクトルのセットのうちの１つのプリコーディングベクトルとに基づいて決定されてもよい。プリコーディングベクトルのセットは、事前に構成されてもよい、または上位レイヤのシグナリング（例えば、無線リソース制御（RRC）シグナリング）もしくはシステム情報によりシグナリングされてもよい。プリコーディングベクトルのセットは、送信エンティティと受信エンティティとの間で同期化されてもよい。仮想アンテナポートは、少なくとも１つのプリコーディングされた参照信号を含むことができる。送信エンティティは、符号化されたデータビットから導出された情報に基づき、プリコーディングベクトルのセットを選択することができる。プリコーディングベクトルのセットは、参照信号によって示される。プリコーディングベクトルのセットは、例えば、新無線物理ダウンリンク制御チャネル（NR-PDCCH）、新無線拡張物理ダウンリンク制御チャネル（NR-E-PDCCH）、新無線物理ダウンリンク共有チャネル（NR-PDSCH）などを含む制御チャネル上で搬送されたダウンリンク制御情報によりシグナリングされる。
【０００６】
送信エンティティは、変調されたデータシンボルを送信レイヤにマッピングすることができる。変調されたデータシンボルは、決定された仮想アンテナポートに基づき、送信レイヤにマッピングされる。仮想アンテナポートは、インデックスが付された送信レイヤとすることができる。送信エンティティは、マッピングされ変調されたデータシンボルを送信レイヤで送信する。
【０００７】
送信エンティティは、受信エンティティから、フィードバックプリコーディングベクトルのセットを受信することができる。送信エンティティは、フィードバックプリコーディングベクトルの受信されたセットに基づいて、プリコーディングベクトルのセットを選択することができる。送信エンティティ（例えば、ユーザデバイスまたはネットワークデバイス）は、ハイブリッド空間変調を実施するように構成されてもよい。送信エンティティは、複数の符号化されたデータビットを、振幅位相変調（APM）ビット、仮想アンテナインデックスビット、および物理アンテナインデックスビットに分割することができる。送信エンティティは、ＡＰＭビットを変調されたデータシンボルへと変調することができる。送信エンティティは、仮想アンテナポートを決定することができ、ここにおいて、仮想アンテナポートは、仮想アンテナインデックスビット、およびプリコーディングベクトルのセットのうちの１つのプリコーディングベクトルに基づいて決定される。送信エンティティは、物理アンテナポートを決定することができる。物理アンテナポートは、物理アンテナインデックスビットに基づいて決定されてもよい。物理アンテナポートは到達角度に基づく。プリコーディングベクトルのセットは、事前に構成されてもよい、または上位レイヤのシグナリング（例えば、ＲＲＣシグナリング）、もしくはシステム情報によりシグナリングされてもよい。プリコーディングベクトルのセットは、送信エンティティと受信エンティティとの間で同期化されてもよい。仮想アンテナポートは、少なくとも１つのプリコーディングされた参照信号を含むことができる。送信エンティティは、符号化されたデータビットから導出された情報に基づいて、プリコーディングベクトルのセットを選択することができる。プリコーディングベクトルのセットは、参照信号により示される。プリコーディングベクトルのセットは、例えば、ＮＲ−ＰＤＣＣＨ、ＮＲ−Ｅ−ＰＤＣＣＨ、ＮＲ−ＰＤＳＣＨなどを含む制御チャネルで搬送されるダウンリンク制御情報によりシグナリングされる。
【０００８】
送信エンティティは、変調されたデータシンボルを、少なくとも１つの送信レイヤにマッピングすることができる。変調されたデータシンボルは、決定された仮想アンテナポートに基づいてマッピングされる。仮想アンテナポートは、インデックスが付された送信レイヤとすることができる。送信エンティティは、マッピングされ、変調されたデータシンボルを、仮想アンテナポートを使用し、物理アンテナポートを介して送信することができる。
【図面の簡単な説明】
【０００９】
【図１Ａ】１つまたは複数の開示される実施形態が実施されてもよい例示的な通信システムを示すシステム図である。
【図１Ｂ】実施形態による図１Ａで示された通信システム内で使用されてもよい例示的な無線送受信ユニット（WTRU）を示すシステム図である。
【図１Ｃ】実施形態による図１Ａで示された通信システム内で使用されてもよい例示的な無線アクセスネットワーク（RAN）および例示的なコアネットワーク（CN）を示すシステム図である。
【図１Ｄ】実施形態による図１Ａで示された通信システム内で使用されてもよい他の例示的なＲＡＮおよび他の例示的なＣＮを示すシステム図である。
【図１Ｅ】不連続受信（DRX）動作を示す例の図である。
【図２】デジタル空間変調システムを示す送信機ブロック図である。
【図３】ハイブリッド空間変調システムを示す送信機ブロック図である。
【図４】多段処理を備えたハイブリッド空間変調に対する流れ図である。
【図５】多段処理を備えたハイブリッド空間変調を示す図である。
【図６】直交振幅変調（QAM）を使用したハイブリッド空間変調の例を示す図である。
【図７】到達角度（AoA）インデックスベースの空間変調の例を示す図である。
【図８】物理チャネル送信ブロック図である。
【図９】例示的な空間変調マッピング表を示す図である。
【図１０】アナログ空間変調システムに対する例示的な参照信号設計を示す図である。
【図１１】参照信号に対する例示的な送信図である。
【図１２】参照信号およびデータシンボルの例示的な送信を示す図である。
【図１３】未使用のアンテナを使用した参照シンボルの例示的な送信を示す図である。
【図１４】例示的なハイブリッド空間変調システムを示す図である。
【図１５】ハイブリッド空間変調システムに対する例示的な参照信号設計を示す図である。
【図１６】オン／オフ無線周波数（RF）チェーンおよびベースバンド（BB）回路を使用した、空間多重化および様々なタイプの空間変調に対するマルチレベルの電力節約を示す図である。
【発明を実施するための形態】
【００１０】
例示的な実施形態の詳細な説明が、次に様々な図を参照して述べられる。この説明は、可能な実装形態の詳細な例を提供するが、その詳細は、例示的であるように意図されており、決して本出願の範囲を限定するものではないことに留意されたい。
【００１１】
図１Ａは、１つまたは複数の開示される実施形態が実施されてもよい例示的な通信システム１００を示す図である。通信システム１００は、複数の無線ユーザに、音声、データ、ビデオ、メッセージング、同報通信などのコンテンツを提供する複数のアクセスシステムとすることができる。通信システム１００は、複数の無線ユーザに、無線帯域幅を含むシステムリソースを共用することにより、このようなコンテンツにアクセスできるようにする。例えば、通信システム１００は、符号分割多元接続（CDMA）、時分割多元接続（TDMA）、周波数分割多元接続（FDMA）、直交ＦＤＭＡ（OFDMA）、シングルキャリアＦＤＭＡ（SC-FDMA）、ゼロテールユニークワードＤＦＴ拡散ＯＦＤＭ（ZT UW DTS-s OFDM）、ユニークワードＯＦＤＭ（UW-OFDM）、リソースブロック−フィルタ処理されたＯＦＤＭ（resource block-filtered OFDM）、フィルタバンクマルチキャリア（FBMC）、および同様のものなど、１つまたは複数のチャネルアクセス法を使用することができる。
【００１２】
図１Ａで示すように、通信システム１００は、無線送受信ユニット（WTRU）１０２ａ、１０２ｂ、１０２ｃ、１０２ｄ、ＲＡＮ１０４／１１３、ＣＮ１０６／１１５、公衆交換電話網（PSTN）１０８、インターネット１１０、および他のネットワーク１１２を含むことができるが、開示された実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、無線環境で動作し、かつ／または通信するように構成された任意のタイプのデバイスとすることができる。例として、ＷＴＲＵ１０２ａ、１０２ｂ、１０２ｃ、１０２ｄは、そのいずれも「ステーション」および／または「ＳＴＡ」と呼ばれてもよいが、無線信号を送信かつ／または受信するように構成され、またユーザ装置（UE）、移動局、固定または移動加入者ユニット、サブスクリプションベースのユニット、ページャ、セルラ式電話、携帯情報端末（PDA）、スマートフォン、ラップトップ、ネットブック、パーソナルコンピュータ、無線センサ、ホットスポットもしくはＭｉ−Ｆｉデバイス、モノのインターネット（IoT）デバイス、時計もしくは他の装着可能なもの、頭部搭載型ディスプレイ（HMD）、車両、ドローン、医用デバイスおよび応用（例えば、遠隔手術）、産業用デバイスおよび応用（例えば、ロボット、ならびに／または産業および／または自動化処理チェーンコンテキストで動作する他の無線デバイス）、家庭用電子デバイス、商用および／または産業用無線ネットワークで動作するデバイスなどを含むことができる。ＷＴＲＵ１０２ａ、１０２ｂ、１０２ｃ、および１０２ｄのいずれも、相互に交換可能にＵＥと呼ばれてもよい。
【００１３】
通信システム１００はまた、基地局１１４ａおよび／または基地局１１４ｂを含むことができる。基地局１１４ａ、１１４ｂのそれぞれは、ＣＮ１０６／１１５、インターネット１１０、および／または他のネットワーク１１２などの１つまたは複数の通信ネットワークへのアクセスを容易にするために、ＷＴＲＵ１０２ａ、１０２ｂ、１０２ｃ、１０２ｄの少なくとも１つと無線でインタフェースをとるように構成された任意のタイプのデバイスとすることができる。例として、基地局１１４ａ、１１４ｂは、送受信機基地局（BTS）、ノードＢ、ｅＮｏｄｅＢ、ホームノードＢ、ホームｅＮｏｄｅＢ、ｇＮＢ、ＮＲノードＢ、サイトコントローラ、アクセスポイント（AP）、無線ルータ、および同様のものとすることができる。基地局１１４ａ、１１４ｂが、それぞれ、単一の要素として示されているが、基地局１１４ａ、１１４ｂは、任意の数の相互接続された基地局および／またはネットワーク要素を含むことができることが理解されよう。
【００１４】
基地局１１４ａは、ＲＡＮ１０４／１１３の一部とすることができ、それはまた、基地局制御装置（BSC）、無線ネットワーク制御装置（RNC）、中継ノードなどの他の基地局および／またはネットワーク要素（図示せず）を含むことができる。基地局１１４ａおよび／または基地局１１４ｂは、セル（図示せず）と呼ばれてもよい１つまたは複数のキャリア周波数で無線信号を送信および／または受信するように構成されてもよい。これらの周波数は、認可スペクトル、未認可スペクトル、または認可および未認可スペクトルの組合せとすることができる。セルは、時間経過に対して比較的固定されてもよい、または変化がある特定の地理学的エリアに対して無線サービスを行うための到達範囲を提供することができる。セルは、セルセクタへとさらに分割されてもよい。例えば、基地局１１４ａに関連付けられたセルは、３つのセクタに分割されてもよい。したがって、一実施形態では、基地局１１４ａは、３つの送受信機、すなわち、セルの各セクタに対して１つを含むことができる。実施形態では、基地局１１４ａは、多入力多出力（MIMO）技術を使用することができ、またセルの各セクタに対して複数の送受信機を利用することができる。例えば、望ましい空間方向において、信号を送信および／または受信するために、ビーム形成が使用されてもよい。
【００１５】
基地局１１４ａ、１１４ｂは、無線インタフェース１１６を介して、ＷＴＲＵ１０２ａ、１０２ｂ、１０２ｃ、１０２ｄの１つまたは複数のものと通信することができ、それは、任意の適切な無線通信リンクとすることができる（例えば、無線周波数（RF）、マイクロ波、センチメートル波、マイクロメートル波、赤外線（IR）、紫外線（UV）、可視光など）。無線インタフェース１１６は、任意の適切な無線アクセス技術（RAT）を使用して確立されてもよい。
【００１６】
より具体的には、上記のように、通信システム１００は、複数のアクセスシステムとすることができ、またＣＤＭＡ、ＴＤＭＡ、ＦＤＭＡ、ＯＦＤＭＡ、ＳＣ−ＦＤＭＡ、および同様のものなど、１つまたは複数のチャネルアクセス方式を使用することができる。例えば、ＲＡＮ１０４／１１３における基地局１１４ａ、およびＷＴＲＵ１０２ａ、１０２ｂ、１０２ｃは、広帯域ＣＤＭＡ（WCDMA）を使用して無線インタフェース１１５／１１６／１１７を確立できるユニバーサル移動体通信システム（UMTS）地上無線アクセス（UTRA）などの無線技術を実施することができる。ＷＣＤＭＡは、高速パケットアクセス（HSPA）および／または進化型ＨＳＰＡ（HSPA+）などの通信プロトコルを含むことができる。ＨＳＰＡは、高速ダウンリンク（DL）パケットアクセス（HSDPA）および／または高速ＵＬパケットアクセス（HSUPA）を含むことができる。
【００１７】
実施形態では、基地局１１４ａおよびＷＴＲＵ１０２ａ、１０２ｂ、１０２ｃは、進化型ＵＭＴＳ地上無線アクセス（E-UTRA）などの無線技術を実施することができ、それは、ロングタームエボリューション（LTE）、および／またはＬＴＥアドバンスト（LTE-A）、および／またはＬＴＥアドバンストプロ（LTE-A Pro）を使用して、無線インタフェース１１６を確立することができる。
【００１８】
実施形態では、基地局１１４ａおよびＷＴＲＵ１０２ａ、１０２ｂ、１０２ｃは、新無線（NR）を使用する無線インタフェース１１６を確立できるＮＲ無線アクセスなどの無線技術を実施することができる。
【００１９】
実施形態では、基地局１１４ａおよびＷＴＲＵ１０２ａ、１０２ｂ、１０２ｃは、複数の無線アクセス技術を実施することができる。例えば、基地局１１４ａおよびＷＴＲＵ１０２ａ、１０２ｂ、１０２ｃは、例えば、デュアルコネクティビティ（DC）原理を使用して、ＬＴＥ無線アクセス、およびＮＲ無線アクセスを共に実施することができる。したがって、ＷＴＲＵ１０２ａ、１０２ｂ、１０２ｃにより利用される無線インタフェースは、複数タイプの無線アクセス技術により、かつ／または複数タイプの基地局（例えば、ｅＮＢおよびｇＮＢ）との間で送られる送信により特徴付けられてもよい。
【００２０】
他の実施形態では、基地局１１４ａおよびＷＴＲＵ１０２ａ、１０２ｂ、１０２ｃは、ＩＥＥＥ８０２．１１（すなわち、無線の忠実度（WiFi:Wireless Fidelity）、ＩＥＥＥ８０２．１６（すなわち、ワールドワイドインターオペラビリティフォーマイクロウェーブアクセス（WiMAX））、ＣＤＭＡ２０００、ＣＤＭＡ２０００  １Ｘ、ＣＤＭＡ２０００  ＥＶ−ＤＯ、暫定基準２０００（IS-2000）、暫定基準９５（IS-95）、暫定基準８５６（IS-856）、グローバルシステムフォーモバイル通信（GSM）、ＧＳＭエボリューション拡張データレート（EDGE）、ＧＳＭ  ＥＤＧＥ（GERAN）、および同様のものなどの無線技術を実施することができる。
【００２１】
図１Ａの基地局１１４ｂは、例えば、無線ルータ、ホームノードＢ、ホームｅＮｏｄｅＢ、またはアクセスポイントとすることができ、また職場、家庭、車両、キャンパス、産業施設、空中回廊（例えば、ドローンで使用される）、車道、および同様の場所など、局所化されたエリアにおける無線接続を容易にするために任意の適切なＲＡＴを利用することができる。一実施形態では、基地局１１４ｂおよびＷＴＲＵ１０２ｃ、１０２ｄは、無線ローカルエリアネットワーク（WLAN）を確立するために、ＩＥＥＥ８０２．１１などの無線技術を実施することができる。実施形態では、基地局１１４ｂおよびＷＴＲＵ１０２ｃ、１０２ｄは、無線パーソナルエリアネットワーク（WPAN）を確立するために、ＩＥＥＥ８０２．１５などの無線技術を実施することができる。さらに他の実施形態では、基地局１１４ｂおよびＷＴＲＵ１０２ｃ、１０２ｄは、ピコセルまたはフェムトセルを確立するために、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａで示されるように、基地局１１４ｂは、インターネット１１０への直接接続を有することができる。したがって、基地局１１４ｂは、ＣＮ１０６／１１５を介してインターネット１１０にアクセスする必要のないこともある。
【００２２】
ＲＡＮ１０４／１１３は、ＣＮ１０６／１１５と通信することができ、それは、ＷＴＲＵ１０２ａ、１０２ｂ、１０２ｃ、１０２ｄの１つまたは複数のものに対して、音声、データ、アプリケーション、および／またはボイスオーバインターネットプロトコル（VoIP）サービスを提供するように構成された任意のタイプのネットワークとすることができる。データは、異なるスループット要件、待ち時間要件、誤り許容要件、信頼性要件、データスループット要件、移動性要件、および同様のものなど、様々なサービス品質（QoS）要件を有することがある。ＣＮ１０６／１１５は、呼制御、課金サービス、移動体位置ベースサービス、プリペイドコーリング、インターネット接続、ビデオ配信などを提供し、かつ／またはユーザ認証などの高水準のセキュリティ機能を実施することができる。図１Ａで示されていないが、ＲＡＮ１０４／１１３および／またはＣＮ１０６／１１５は、ＲＡＮ１０４／１１３と同じＲＡＴ、または異なるＲＡＴを使用する他のＲＡＴと直接または間接的に通信できることが理解されよう。例えば、ＮＲ無線技術を利用することのできるＲＡＮ１０４／１１３に接続されるのに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を使用する別のＲＡＮ（図示せず）と通信することもできる。
【００２３】
ＣＮ１０６／１１５はまた、ＰＳＴＮ１０８、インターネット１１０、および／または他のネットワーク１１２にアクセスするための、ＷＴＲＵ１０２ａ、１０２ｂ、１０２ｃ、１０２ｄに対するゲートウェイとして働くことができる。ＰＳＴＮ１０８は、基本電話サービス（POTS）を提供する回線交換電話網を含むことができる。インターネット１１０は、ＴＣＰ／ＩＰインターネットプロトコル群における伝送制御プロトコル（TCP）、ユーザデータグラムプロトコル（UDP）、および／またはインターネットプロトコル（IP）などの共通の通信プロトコルを使用する相互接続されたコンピュータネットワークおよびデバイスの大域システムを含むことができる。ネットワーク１１２は、他のサービスプロバイダにより所有され、かつ／または運営される有線および／または無線通信ネットワークを含むことができる。例えば、ネットワーク１１２は、ＲＡＮ１０４／１１３と同じＲＡＴ、または異なるＲＡＴを使用できる１つまたは複数のＲＡＮに接続された別のＣＮを含むことができる。
【００２４】
通信システム１００におけるＷＴＲＵ１０２ａ、１０２ｂ、１０２ｃ、１０２ｄのいくつか、またはすべては、マルチモード機能を含むことができる（例えば、ＷＴＲＵ１０２ａ、１０２ｂ、１０２ｃ、１０２ｄは、様々な無線リンクを介して、様々な無線ネットワークと通信するための複数の送受信機を含むことができる）。例えば、図１Ａで示されるＷＴＲＵ１０２ｃは、セルラベースの無線技術を使用できる基地局１１４ａと、かつＩＥＥＥ８０２無線技術を使用できる基地局１１４ｂと通信するように構成されてもよい。
【００２５】
図１Ｂは、例示的なＷＴＲＵ１０２を示すシステム図である。図１Ｂで示されるように、ＷＴＲＵ１０２は、いくつかある中で特に、プロセッサ１１８、送受信機１２０、送信／受信素子１２２、スピーカ／マイクロフォン１２４、キーパッド１２６、ディスプレイ／タッチパッド１２８、取外し不能メモリ１３０、取外し可能メモリ１３２、電源１３４、全地球測位システム（GPS）チップセット１３６、および／または他の周辺装置１３８を含むことができる。ＷＴＲＵ１０２は、前述の要素の任意の下位の組合せを含むことができるが、なお実施形態との一貫性を有していることが理解されよう。
【００２６】
プロセッサ１１８は、汎用プロセッサ、専用プロセッサ、従来のプロセッサ、デジタル信号プロセッサ（DSP）、複数のマイクロプロセッサ、ＤＳＰコアと関連付けられた１つまたは複数のマイクロプロセッサ、コントローラ、マイクロコントローラ、特定用途向け集積回路（ASIC）、書き替え可能ゲートアレイ（FPGA）回路、任意の他のタイプの集積回路（IC）、状態機械、および同様のものとすることができる。プロセッサ１１８は、信号コーディング、データ処理、電力制御、入力／出力処理、および／またはＷＴＲＵ１０２を無線環境で動作できるようにする任意の他の機能を実施することができる。プロセッサ１１８は、送受信機１２０に結合されてもよいが、送受信機１２０は、送信／受信素子１２２に結合されてもよい。図１Ｂは、プロセッサ１１８と送受信機１２０とを別々の構成要素として示しているが、プロセッサ１１８および送受信機１２０は、電子パッケージまたはチップにおいて共に一体化されてもよいことが理解されよう。
【００２７】
送信／受信素子１２２は、無線インタフェース１１６を介して、基地局（例えば、基地局１１４ａ）に信号を送信する、または信号を受信するように構成されてもよい。例えば、一実施形態では、送信／受信素子１２２は、ＲＦ信号を送信および／または受信するように構成されたアンテナとすることができる。実施形態では、送信／受信素子１２２は、例えば、ＩＲ、ＵＶ、または可視光信号を送信および／または受信するように構成された発光体／検出器とすることができる。さらに別の実施形態では、送信／受信素子１２２は、ＲＦおよび光信号を共に送信および／または受信するように構成されてもよい。送信／受信素子１２２は、無線信号の任意の組合せを送信および／または受信するように構成されてもよいことが理解されよう。
【００２８】
送信／受信素子１２２が、図１Ｂで単一の要素として示されているが、ＷＴＲＵ１０２は、任意の数の送信／受信素子１２２を含むことができる。より具体的には、ＷＴＲＵ１０２は、ＭＩＭＯ技術を使用することができる。したがって、一実施形態では、ＷＴＲＵ１０２は、無線インタフェース１１６を介して、無線信号を送信および受信するために、２つ以上の送信／受信素子１２２（例えば、複数のアンテナ）を含むことができる。
【００２９】
送受信機１２０は、送信／受信素子１２２により送信される信号を変調し、かつ送信／受信素子１２２により受信される信号を復調するように構成されてもよい。前述のように、ＷＴＲＵ１０２は、マルチモード機能を有することができる。したがって、送受信機１２０は、ＷＴＲＵ１０２が、例えば、ＮＲおよびＩＥＥＥ８０２．１１などの複数のＲＡＴにより通信できるようにするための複数の送受信機を含むことができる。
【００３０】
ＷＴＲＵ１０２のプロセッサ１１８は、スピーカ／マイクロフォン１２４、キーパッド１２６、および／またはディスプレイ／タッチパッド１２８（例えば、液晶表示（LCD）ディスプレイユニット、または有機発光ダイオード（OLED）ディスプレイユニット）に結合されてもよいが、またそこからユーザ入力データを受信することができる。プロセッサ１１８はまた、ユーザデータを、スピーカ／マイクロフォン１２４、キーパッド１２６、および／またはディスプレイ／タッチパッド１２８に出力することができる。加えて、プロセッサ１１８は、取外し不能メモリ１３０、および／または取外し可能メモリ１３２など、任意のタイプの適切なメモリからの情報にアクセスし、かつデータをそこに記憶することができる。取外し不能メモリ１３０は、ランダムアクセスメモリ（RAM）、読み出し専用メモリ（ROM）、ハードディスク、または任意の他のタイプのメモリ記憶デバイスを含むことができる。取外し可能メモリ１３２は、加入者識別モジュール（SIM）カード、メモリスティック、セキュアデジタル（SD）メモリカード、および同様のものを含むことができる。他の実施形態では、プロセッサ１１８は、サーバまたは家庭用コンピュータ（図示せず）など、ＷＴＲＵ１０２上に物理的に位置していないメモリからの情報にアクセスし、かつそこにデータを記憶することができる。
【００３１】
プロセッサ１１８は、電源１３４から電力を受け取ることができ、またＷＴＲＵ１０２における他の構成要素に電力を配布し、かつ／または制御するように構成されてもよい。電源１３４は、ＷＴＲＵ１０２に電力を供給するための任意の適切なデバイスとすることができる。例えば、電源１３４は、１つまたは複数の乾電池（例えば、ニッケル−カドミウム（NiCd）、ニッケル−亜鉛（NiZn）ニッケル水素（NiMH）、リチウム−イオン（Li-ion）など）、太陽電池、燃料電池、および同様のものを含むことができる。
【００３２】
プロセッサ１１８はまた、ＷＴＲＵ１０２の現在位置に関する位置情報（例えば、経度および緯度）を提供するように構成されてもよいＧＰＳチップセット１３６に結合されてもよい。ＧＰＳチップセット１３６からの情報に加えて、またはそれに代えて、ＷＴＲＵ１０２は、基地局（例えば、基地局１１４ａ、１１４ｂ）から無線インタフェース１１６を介して位置情報を受け取り、かつ／または２つ以上の近傍の基地局から受信される信号のタイミングに基づき、その位置を決定することができる。ＷＴＲＵ１０２は、実施形態との一貫性を有しながら、任意の適切な位置決定法により位置情報を取得できることを理解されよう。
【００３３】
プロセッサ１１８は、さらなる特徴、機能性、および／または有線もしくは無線接続性を提供する１つまたは複数のソフトウェアおよび／またはハードウェアモジュールを含むことのできる他の周辺装置１３８にさらに結合されてもよい。例えば、周辺装置１３８は、加速度計、電子コンパス、衛星送受信機、デジタルカメラ（写真および／またはビデオ用）、ユニバーサルシリアルバス（USB）ポート、振動デバイス、テレビジョン送受信機、手を使用しないヘッドセット、Ｂｌｕｅｔｏｏｔｈ（登録商標）モジュール、周波数変調（FM）無線ユニット、デジタルミュージックプレーヤ、メディアプレーヤ、ビデオゲームプレーヤモジュール、インターネットブラウザ、仮想現実および／または拡張現実感（VR／AR）デバイス、アクティビティトラッカ（activity tracker）、および同様のものを含むことができる。周辺装置１３８は、１つまたは複数のセンサを含むことができ、センサは、ジャイロスコープ、加速度計、ホール効果センサ、磁力計、方向センサ、近接センサ、温度センサ、時間センサ、ジオロケーションセンサ、高度計、光センサ、タッチセンサ、磁気計、気圧計、ジェスチャセンサ、生物測定センサ、および／または湿度センサのうちの１つまたは複数のものとすることができる。
【００３４】
ＷＴＲＵ１０２は、全二重無線を含むことができ、その場合、（例えば、ＵＬ（例えば、送信用）とダウンリンク（例えば、受信用）の両方に対する特定のサブフレームに関連付けられた信号のいくつか、またはすべての送信および受信は一致しており、かつ／または同時に行うことができる。全二重無線は、干渉管理ユニット１３９を含み、ハードウェア（例えば、チョーク）により、またはプロセッサによる（例えば、別個のプロセッサ（図示せず）もしくはプロセッサ１１８による）信号処理により自己干渉を低下させる、および／または実質的に除去することができる。実施形態では、ＷＲＴＵ１０２は、半二重無線を含むことができ、その場合、（例えば、ＵＬ（例えば、送信用）またはダウンリンク（例えば、受信用）に対する特定のサブフレームに関連付けられた）信号のいくつか、またはすべての送信および受信を含む。
【００３５】
図１Ｃは、実施形態によるＲＡＮ１０４およびＣＮ１０６を示すシステム図である。上記のように、ＲＡＮ１０４は、無線インタフェース１１６を介してＷＴＲＵ１０２ａ、１０２ｂ、１０２ｃと通信するために、Ｅ−ＵＴＲＡ無線技術を使用することができる。ＲＡＮ１０４はまた、ＣＮ１０６と通信することができる。
【００３６】
ＲＡＮ１０４は、ｅＮｏｄｅＢ１６０ａ、１６０ｂ、１６０ｃを含むことができるが、ＲＡＮ１０４は、実施形態との一貫性を有しながら任意の数のｅＮｏｄｅＢを含むことができることが理解されよう。ｅＮｏｄｅＢ１６０ａ、１６０ｂ、１６０ｃは、それぞれ、無線インタフェース１１６を介して、ＷＴＲＵ１０２ａ、１０２ｂ、１０２ｃと通信するための１つまたは複数の送受信機を含むことができる。一実施形態では、ｅＮｏｄｅＢ１６０ａ、１６０ｂ、１６０ｃは、ＭＩＭＯ技術を実施することができる。したがって、ｅＮｏｄｅＢ１６０ａは、例えば、複数のアンテナを使用して、ＷＴＲＵ１０２ａに無線信号を送信し、かつ／またはそこから無線信号を受信することができる。
【００３７】
ｅＮｏｄｅＢ１６０ａ、１６０ｂ、１６０ｃのそれぞれは、特定のセル（図示せず）と関連付けられ、また無線リソース管理決定、ハンドオーバ決定、ＵＬおよび／またはＤＬにおけるユーザのスケジューリングなどを処理するように構成されてもよい。図１Ｃで示されるように、ｅＮｏｄｅＢ１６０ａ、１６０ｂ、１６０ｃは、Ｘ２インタフェースを介して互いに通信することができる。
【００３８】
図１Ｃで示されるＣＮ１０６は、モビリティ管理エンティティ（MME）１６２、サービングゲートウェイ（SGW）１６４、およびパケットデータネットワーク（PDN）ゲートウェイ（またはＰＧＷ）１６６を含むことができる。前述の要素のそれぞれは、ＣＮ１０６の一部として示されているが、これらの要素のいずれも、ＣＮ運営者以外のエンティティによって所有され、かつ／または運営されてもよいことが理解されよう。
【００３９】
ＭＭＥ１６２は、Ｓ１インタフェースを介して、ＲＡＮ１０４におけるｅＮｏｄｅＢ１６２ａ、１６２ｂ、１６２ｃのそれぞれに接続され、制御ノードとして働くことができる。例えば、ＭＭＥ１６２は、ＷＴＲＵ１０２ａ、１０２ｂ、１０２ｃのユーザの認証、ベアラの活性化／非活性化、ＷＴＲＵ１０２ａ、１０２ｂ、１０２ｃの初期アタッチ間の特定のサービングゲートウェイを選択すること、および同様のものを扱うことができる。ＭＭＥ１６２は、ＲＡＮ１０４と、ＧＳＭおよび／またはＷＣＤＭＡなどの他の無線技術を使用する他のＲＡＮ（図示せず）との間を切り換えるための制御プレーン機能を提供することができる。
【００４０】
ＳＧＷ１６４は、Ｓ１インタフェースを介して、ＲＡＮ１０４におけるｅＮｏｄｅＢ１６０ａ、１６０ｂ、１６０ｃのそれぞれに接続されてもよい。ＳＧＷ１６４は、概して、ＷＴＲＵ１０２ａ、１０２ｂ、１０２ｃとの間で、ユーザデータパケットの経路指定をし、かつ転送することができる。ＳＧＡ１６４は、ｅＮｏｄｅＢ間のハンドオーバの間にユーザプレーンをアンカリングすること、ＤＬデータがＷＴＲＵ１０２ａ、１０２ｂ、１０２ｃに利用可能になったとき、ページングをトリガすること、ＷＴＲＵ１０２ａ、１０２ｂ、１０２ｃのコンテキストを管理し、かつ記憶すること、ならびに同様のものなど、他の機能を実施することができる。
【００４１】
ＳＧＷ１６４は、ＰＧＷ１６６に接続されてもよいが、それは、ＷＴＲＵ１０２ａ、１０２ｂ、１０２ｃに、インターネット１１０などのパケット交換網へのアクセスを提供して、ＷＴＲＵ１０２ａ、１０２ｂ、１０２ｃとＩＰ使用可能なデバイスとの間の通信を容易にすることができる。
【００４２】
ＣＮ１０６は、他のネットワークとの通信を容易にすることができる。例えば、ＣＮ１０６は、ＷＴＲＵ１０２ａ、１０２ｂ、１０２ｃに、ＰＳＴＮ１０８などの回線交換網へのアクセスを提供し、ＷＴＲＵ１０２ａ、１０２ｂ、１０２ｃと従来の陸線通信デバイスとの間の通信を容易にすることができる。例えば、ＣＮ１０６は、ＣＮ１０６とＰＳＴＮ１０８との間のインタフェースとして働くＩＰゲートウェイ（例えば、ＩＰマルチメディアサブシステム（IMS）サーバ）を含むことができる、またはそれと通信することができる。加えて、ＣＮ１０６は、ＷＴＲＵ１０２ａ、１０２ｂ、１０２ｃに、他のサービスプロバイダにより所有され、かつ／または運営される他の有線および／または無線ネットワークを含むことのできる他のネットワーク１１２へのアクセスを提供することができる。
【００４３】
ＷＴＲＵが、図１Ａ〜図１Ｄで無線端末として述べられているが、いくつかの代表的な実施形態では、このような端末は、通信ネットワークとの有線通信インタフェースを（例えば、一時的に、または恒久的に）使用できることも企図される。
【００４４】
代表的な実施形態では、他のネットワーク１１２は、ＷＬＡＮとすることができる。インフラストラクチャ基本サービスセット（BSS）モードにおけるＷＬＡＮは、ＢＳＳに対するアクセスポイント（AP）、およびそのＡＰに関連付けられた１つまたは複数のステーション（STA）を有することができる。ＡＰは、配信システム（DS）への、またはＢＳＳに、かつ／またはＢＳＳからトラフィックを搬送する別のタイプの有線／無線ネットワークへのアクセスもしくはインタフェースを有することができる。ＢＳＳの外側から生ずるＳＴＡへのトラフィックはＡＰを介して到来し、ＳＴＡに送達されてもよい。ＢＳＳの外側の宛先へのＳＴＡから生ずるトラフィックは、各宛先に送達されるようにＡＰに送信されてもよい。ＢＳＳ内のＳＴＡ間のトラフィックは、例えば、ＡＰを介して送信されてもよいが、ソースＳＴＡは、トラフィックをＡＰに送ることができ、またＡＰは、トラフィックを宛先のＳＴＡに送達することができる。ＢＳＳ内のＳＴＡ間のトラフィックは、ピアツーピアトラフィックであると考えられ、かつ／またはそのように呼ばれてもよい。ピアツーピアトラフィックは、ダイレクトリンクのセットアップ（DLS）で、ソースと宛先ＳＴＡとの間で（例えば、その間で直接）送信されてもよい。いくつかの代表的な実施形態では、ＤＬＳは，８０２．１１ｅ  ＤＬＳ、または８０２．１１ｚトンネルＤＬＳ（TDLS）を使用することができる。独立したＢＳＳ（IBSS）モードを使用するＷＬＡＮは、ＡＰを有しないこともあるが、ＩＢＳＳ内の、またはそれを使用するＳＴＡ（例えば、ＳＴＡのすべて）は、互いに直接通信することができる。通信のＩＢＳＳモードは、本明細書において、通信の「アドホック」モードと呼ばれることもある。
【００４５】
８０２．１１ａｃインフラストラクチャ動作モード、または同様の動作モードを使用する場合、ＡＰは、プライマリチャネルなどの固定チャネルでビーコンを送信することができる。プライマリチャネルは、固定された幅（例えば、２０ＭＨｚ幅の帯域幅）、またはシグナリングにより動的に設定された幅とすることができる。プライマリチャネルは、ＢＳＳの動作チャネルとすることができ、またＡＰとの通信を確立するためにＳＴＡによって使用されてもよい。いくつかの代表的な実施形態では、例えば、８０２．１１システムでは、衝突回避を備えたキャリア検知の多重アクセス（CSMA／CA）が実施されてもよい。ＣＳＭＡ／ＣＡの場合、ＳＴＡ（例えば、あらゆるＳＴＡ）は、ＡＰも含めて、プライマリチャネルを感知することができる。プライマリチャネルが、特定のＳＴＡにより、ビジー状態にあると感知／検出される、かつ／または決定された場合、特定のＳＴＡは取り下げることができる。１つのＳＴＡ（例えば、１つのステーションだけ）が、所与のＢＳＳにおいて、任意の所与の時間に送信することができる。
【００４６】
高スループット（HT）ＳＴＡは、４０ＭＨｚ幅のチャネルを形成するために、例えば、主となる２０ＭＨｚチャネルを、隣接する、または非隣接の２０ＭＨｚチャネルと組み合わせることにより、４０ＭＨｚ幅のチャネルを通信に使用することができる。
【００４７】
非常に高いスループット（VHT）ＳＴＡは、２０ＭＨｚ、４０ＭＨｚ、８０ＭＨｚ、および／または１６０ＭＨｚ幅のチャネルをサポートすることができる。４０ＭＨｚおよび／または８０ＭＨｚチャネルは、隣接する２０ＭＨｚチャネルを組み合わせることによって形成されてもよい。１６０ＭＨｚチャネルは、８個の隣接する２０ＭＨｚチャネルを組み合わせることにより、または２つの隣接しない８０ＭＨｚチャネルを組み合わせることにより形成されてもよいが、それは、８０＋８０構成と呼ばれてもよい。８０＋８０構成の場合、チャネル符号化の後、データは、データを２つのストリームへと分割できるセグメントパーサを通されてもよい。逆高速フーリエ変換（IFFT）処理、および時間領域処理が、別々に各ストリームに対して実行されてもよい。ストリームは、２つの８０ＭＨｚチャネルにマッピングされ、データは、送信ＳＴＡによって送信されてもよい。受信ＳＴＡの受信機において、８０＋８０構成に対する前述の動作が逆にされ、組み合わされたデータは、メディアアクセス制御（MAC）に送信されてもよい。
【００４８】
Ｓｕｂ−１ＧＨｚ動作モードが、８０２．１１ａｆおよび８０２．１１ａｈでサポートされる。チャネル動作帯域幅および搬送波は、８０２．１１ｎおよび８０２．１１ａｃで使用されるものに対して８０２．１１ａｆおよび８０２．１１ａｈでは低減される。８０２．１１ａｆは、ＴＶホワイトスペース（TVWS）スペクトルにおいて、５ＭＨｚ、１０ＭＨｚ、および２０ＭＨｚ帯域幅をサポートし、また８０２．１１ａｈは、非ＴＶＷＳスペクトルを使用して１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレッジエリアにおけるＭＴＣデバイスなど、メータタイプ制御／マシンタイプ通信をサポートすることができる。ＭＴＣデバイスは、例えば、いくつかの、かつ／または限定された帯域幅に対するサポート（例えば、それに対するサポートだけ）を含む限定された機能など、いくつかの機能を有することができる。ＭＴＣデバイスは、（例えば、非常に長い電池寿命を維持するために）閾値を超える電池寿命を有する電池を含むことができる。
【００４９】
８０２．１１ｎ、８０２．１１ａｃ、８０２．１１ａｆ、および８０２．１１ａｈなど、複数のチャネルおよびチャネル帯域幅をサポートできるＷＬＡＮシステムは、プライマリチャネルとして指定されてもよいチャネルを含む。プライマリチャネルは、ＢＳＳにおけるすべてのＳＴＡによりサポートされる最大の共通動作帯域幅に等しい帯域幅を有することができる。プライマリチャネルの帯域幅は、ＢＳＳ内で動作するすべてのＳＴＡの中から、最小の帯域幅動作モードをサポートするＳＴＡによって設定および／または制限されてもよい。８０２．１１ａｈの例では、プライマリチャネルは、ＡＰ、およびＢＳＳにおける他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、それだけをサポートする）ＳＴＡ（例えば、ＭＴＣタイプのデバイス）に対する１ＭＨｚ幅とすることができる。キャリア感知および／またはネットワーク割当てベクトル（NAV）設定は、プライマリチャネルの状況に依存することがある。例えば、ＡＰに送信するＳＴＡ（１ＭＨｚの動作モードだけをサポートする）に起因して、プライマリチャネルがビジー状態である場合、周波数帯の大部分がアイドル状態のままであり、かつ利用可能であるとしても、利用可能な周波数帯全体がビジー状態であると見なされてもよい。
【００５０】
米国では、８０２．１１ａｈにより使用されてもよい利用可能な周波数帯は、９０２ＭＨｚから９２８ＭＨｚである。朝鮮では、利用可能な周波数帯は、９１７．５ＭＨｚから９２３．５ＭＨｚである。日本では、利用可能な周波数帯は、９１６．５ＭＨｚから９２７．５ＭＨｚである。８０２．１１ａｈに利用可能な全体の帯域幅は、国の法規に応じて６ＭＨｚから２６ＭＨｚである。
【００５１】
図１Ｄは、実施形態によるＲＡＮ１１３およびＣＮ１１５を示すシステム図である。上記のように、ＲＡＮ１１３は、ＮＲ無線技術を使用して、無線インタフェース１１６を介してＷＴＲＵ１０２ａ、１０２ｂ、１０２ｃと通信することができる。ＲＡＮ１１３はまた、ＣＮ１１５と通信することができる。
【００５２】
ＲＡＮ１１３は、ｇＮＢ１８０ａ、１８０ｂ、１８０ｃを含むことができるが、実施形態との一貫性を有しながら、ＲＡＮ１１３は、任意の数のｇＮＢを含むことができることが理解されよう。ｇＮＢ１８０ａ、１８０ｂ、１８０ｃは、それぞれ、無線インタフェース１１６を介して、ＷＴＲＵ１０２ａ、１０２ｂ、１０２ｃと通信するための１つまたは複数の送受信機を含むことができる。一実施形態では、ｇＮＢ１８０ａ、１８０ｂ、１８０ｃは、ＭＩＭＯ技術を実施することができる。例えば、ｇＮＢ１８０ａ、１８０ｂは、ビーム形成を利用して、ｇＮＢ１８０ａ、１８０ｂ、１８０ｃに信号を送信し、かつ／または信号をそこから受信することができる。したがって、例えば、ｇＮＢ１８０ａは、複数のアンテナを使用して、ＷＴＲＵ１０２ａに無線信号を送信し、かつ／またはそこから無線信号を受信することができる。実施形態では、ｇＮＢ１８０ａ、１８０ｂ、１８０ｃは、キャリアアグリゲーション技術を実施することができる。例えば、ｇＮＢ１８０ａは、ＷＴＲＵ１０２ａ（図示せず）に複数のコンポーネントキャリアを送信することができる。これらのコンポーネントキャリアのサブセットは、未認可スペクトル上のものとすることができるが、残りのコンポーネントキャリアは、認可スペクトル上のものとすることができる。実施形態では、ｇＮＢ１８０ａ、１８０ｂ、１８０ｃは、多地点協調（CoMP:Coordinated Multi-Point）技術を実施することができる。例えば、ＷＴＲＵ１０２ａは、ｇＮＢ１８０ａおよびｇＮＢ１８０ｂ（および／またはｇＮＢ１８０ｃ）からの協調された送信を受信することができる。
【００５３】
ＷＴＲＵ１０２ａ、１０２ｂ、１０２ｃは、スケーラブルなニューメロロジに関連付けられた送信を使用して、ｇＮＢ１８０ａ、１８０ｂ、１８０ｃと通信することができる。例えば、ＯＦＤＭシンボルスペーシング、および／またはＯＦＤＭサブキャリアスペーシングは、異なる送信、異なるセル、および／または無線送信スペクトルの異なる部分に対して変化することができる。ＷＴＲＵ１０２ａ、１０２ｂ、１０２ｃは、様々な、もしくはスケーラブルな長さのサブフレーム、または送信時間間隔（TTI）（例えば、様々な数のＯＦＤＭシンボルを含む、および／または様々な長さの絶対時間が続く）を使用して、ｇＮＢ１８０ａ、１８０ｂ、１８０ｃと通信することができる。
【００５４】
ｇＮＢ１８０ａ、１８０ｂ、１８０ｃは、スタンドアロン構成で、かつ／または非スタンドアロン構成で、ＷＴＲＵ１０２ａ、１０２ｂ、１０２ｃと通信するように構成されてもよい。スタンドアロン構成では、ＷＴＲＵ１０２ａ、１０２ｂ、１０２ｃは、他のＲＡＮ（例えば、ｅＮｏｄｅＢ１６０ａ、１６０ｂ、１６０ｃなど）にさらにアクセスすることなく、ｇＮＢ１８０ａ、１８０ｂ、１８０ｃと通信することができる。スタンドアロン構成では、ＷＴＲＵ１０２ａ、１０２ｂ、１０２ｃは、モビリティアンカーポイントとして、ｇＮＢ１８０ａ、１８０ｂ、１８０ｃのうちの１つまたは複数のものを利用することができる。スタンドアロン構成では、ＷＴＲＵ１０２ａ、１０２ｂ、１０２ｃは、未認可帯域における信号を使用してｇＮＢ１８０ａ、１８０ｂ、１８０ｃと通信することができる。非スタンドアロン構成では、ＷＴＲＵ１０２ａ、１０２ｂ、１０２ｃは、ｅＮｏｄｅＢ１６０ａ、１６０ｂ、１６０ｃなどの別のＲＡＮとも通信／接続しながら、ｇＮＢ１８０ａ、１８０ｂ、１８０ｃと通信／接続することができる。例えば、ＷＴＲＵ１０２ａ、１０２ｂ、１０２ｃは、ＤＣ原理を実施して、実質的に同時に、１つまたは複数のｇＮＢ１８０ａ、１８０ｂ、１８０ｃ、および１つまたは複数のｅＮｏｄｅＢ１６０ａ、１６０ｂ、１６０ｃと通信することができる。非スタンドアロン構成では、ｅＮｏｄｅＢ１６０ａ、１６０ｂ、１６０ｃは、ＷＴＲＵ１０２ａ、１０２ｂ、１０２ｃに対するモビリティアンカーとして働くことができ、またｇＮＢ１８０ａ、１８０ｂ、１８０ｃは、ＷＴＲＵ１０２ａ、１０２ｂ、１０２ｃをサービスするためにさらなる到達範囲および／またはスループットを提供することができる。
【００５５】
ｇＮＢ１８０ａ、１８０ｂ、１８０ｃのそれぞれは、特定のセル（図示せず）に関連付けることができ、また無線リソース管理決定、ハンドオーバ決定、ＵＬおよび／またはＤＬにおけるユーザのスケジューリング、ネットワークスライシングのサポート、デュアル接続、ＮＲとＥ−ＵＴＲＡとの間の相互接続、ユーザプレーン機能（UPF）１８４ａ、１８４ｂに向けたユーザプレーンデータの経路指定、アクセスおよびモビリティ管理機能（AMF）１８２ａ、１８２ｂに向けた制御プレーン情報の経路指定、および同様のものを処理するように構成されてもよい。図１Ｄで示されるように、ｇＮＢ１８０ａ、１８０ｂ、１８０ｃは、Ｘｎインタフェースを介して互いに通信することができる。
【００５６】
図１Ｄで示されるＣＮ１１５は、少なくとも１つのＡＭＦ１８２ａ、１８２ｂ、少なくとも１つのＵＰＦ１８４ａ、１８４ｂ、少なくとも１つのセッション管理機能（SMF）１８３ａ、１８３ｂ、およびおそらくデータネットワーク（DN）１８５ａ、１８５ｂを含むことができる。前述の要素のそれぞれは、ＣＮ１１５の一部として示されているが、これらの要素のいずれも、ＣＮ運営者以外のエンティティにより所有され、かつ／または運営されてもよいことが理解されよう。
【００５７】
ＡＭＦ１８２ａ、１８２ｂは、Ｎ２インタフェースを介して、ＲＡＮ１１３におけるｇＮＢ１８０ａ、１８０ｂ、１８０ｃのうちの１つまたは複数のものに接続され、かつ制御ノードとして働くことができる。例えば、ＡＭＦ１８２ａ、１８２ｂは、ＷＴＲＵ１０２ａ、１０２ｂ、１０２ｃのユーザを認証すること、ネットワークスライシングをサポートすること（例えば、様々な要件を有する様々なＰＤＵセッションを処理すること）、特定のＳＭＦ１８３ａ、１８３ｂを選択すること、登録エリアの管理、ＮＡＳシグナリングの終了、モビリティ管理、および同様のものを扱うことができる。ネットワークスライシングは、ＷＴＲＵ１０２ａ、１０２ｂ、１０２ｃで利用されるサービスのタイプに基づいて、ＷＴＲＵ１０２ａ、１０２ｂ、１０２ｃに対するＣＮポートをカスタマイズするために、ＡＭＦ１８２ａ、１８２ｂによって使用されてもよい。例えば、様々なネットワークスライスが、超高信頼低遅延（URLLC）アクセスを利用するサービス、拡張大容量モバイルブロードバンド（eMBB）アクセスを利用するサービス、マシンタイプ通信（MTC）アクセスに対するサービス、および／または同様のものなど、様々な使用例に対して確立されてもよい。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術など他の無線技術を使用する他のＲＡＮ（図示せず）との間を切り換えるための制御プレーン機能を提供することができる。
【００５８】
ＳＭＦ１８３ａ、１８３ｂは、Ｎ１１インタフェースを介して、ＣＮ１１５におけるＡＭＦ１８２ａ、１８２ｂに接続されてもよい。ＳＭＦ１８３ａ、１８３ｂはまた、Ｎ４インタフェースを介して、ＣＮ１１５におけるＵＰＦ１８４ａ、１８４ｂに接続されてもよい。ＳＭＦ１８３ａ、１８３ｂは、ＵＰＦ１８４ａ、１８４ｂを選択し、制御することができ、またＵＰＦ１８４ａ、１８４ｂを通るトラフィックの経路指定を構成することができる。ＳＭＦ１８３ａ、１８３ｂは、ＵＥのＩＰアドレスを管理し、割り振ること、ＰＤＵセッションを管理すること、ポリシ施行およびＱｏＳを制御すること、ダウンリンクデータ通知を提供すること、および同様のものなど、他の機能を実施することができる。ＰＤＵセッションタイプは、ＩＰベース、非ＩＰベース、イーサネットベース、および同様のものとすることができる。
【００５９】
ＵＰＦ１８４ａ、１８４ｂは、Ｎ３インタフェースを介してＲＡＮ１１３におけるｇＮＢ１８０ａ、１８０ｂ、１８０ｃのうちの１つまたは複数のものに接続されてもよいが、それは、ＷＴＲＵ１０２ａ、１０２ｂ、１０２ｃに、インターネット１１０などのパケット交換網へのアクセスを提供して、ＷＴＲＵ１０２ａ、１０２ｂ、１０２ｃとＩＰ使用可能デバイスとの間の通信を容易にすることができる。ＵＰＦ１８４、１８４ｂは、パケットを経路指定し、かつ転送すること、ユーザプレーンポリシを施行すること、マルチホームＰＤＵセッションをサポートすること、ユーザプレーンＱｏＳを処理すること、ダウンリンクパケットをバッファすること、モビリティアンカリングを提供すること、および同様のものなど、他の機能を実施することができる。
【００６０】
ＣＮ１１５は、他のネットワークとの通信を容易にすることができる。例えば、ＣＮ１１５は、ＣＮ１１５とＰＳＴＮ１０８との間のインタフェースとして働くＩＰゲートウェイ（例えば、ＩＰマルチメディアサブシステム（IMS）サーバ）を含む、またはそれと通信することができる。加えて、ＣＮ１１５は、他のサービスプロバイダにより所有され、かつ／または運営される他の有線および／または無線ネットワークを含むことのできる他のネットワーク１１２へのアクセスを、ＷＴＲＵ１０２ａ、１０２ｂ、１０２ｃに提供することができる。一実施形態では、ＷＴＲＵ１０２ａ、１０２ｂ、１０２ｃは、ＵＰＦ１８４ａ、１８４ｂへのＮ３インタフェースにより、またＵＰＦ１８４ａ、１８４ｂとＤＮ１８５ａ、１８５ｂとの間のＮ６インタフェースにより、ＵＰＦ１８４ａ、１８４ｂを介してローカルデータネットワーク（DN）１８５ａ、１８５ｂに接続されてもよい。
【００６１】
図１Ａ〜図１Ｄの図、および図１Ａ〜図１Ｄの対応する記述において、ＷＴＲＵ１０２ａ〜ｄ、基地局１１４ａ〜ｂ、ｅＮｏｄｅＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書で述べられる任意の他のデバイスのうちの１つまたは複数のものに関して本明細書で述べられる機能のうちの１つまたは複数のもの、またはすべては、１つまたは複数のエミュレーションデバイス（図示せず）によって実施されてもよい。エミュレーションデバイスは、本明細書で述べられる機能のうちの１つまたは複数のもの、またはすべてをエミュレートするように構成された１つまたは複数のデバイスとすることができる。例えば、エミュレーションデバイスは、他のデバイスを試験するために、ならびに／またはネットワークおよび／またはＷＴＲＵ機能をシミュレートするために使用されてもよい。
【００６２】
エミュレーションデバイスは、実験室環境で、かつ／または運営者ネットワーク環境で他のデバイスの１つまたは複数の試験を実施するように設計されてもよい。例えば、１つまたは複数のエミュレーションデバイスは、１つまたは複数の、またはすべての機能を実施できるが、通信ネットワーク内の他のデバイスを試験するために、有線および／または無線通信ネットワークの一部として、完全に、または部分的に実施される、かつ／または展開される。１つまたは複数のエミュレーションデバイスは、１つまたは複数の、またはすべての機能を実施できるが、有線および／または無線通信ネットワークの一部として一時的に実施／または展開される。エミュレーションデバイスは、試験を行うために別のデバイスに直接結合されてもよい、かつ／または空中を介する無線通信を使用して試験を実施することができる。
【００６３】
１つまたは複数のエミュレーションデバイスは、１つまたは複数の、すべても含む機能を実施することができるが、有線および／または無線通信ネットワークの一部としては実施／展開されない。例えば、エミュレーションデバイスは、１つまたは複数の構成要素の試験を実施するために、試験用実験室、および／または展開されない（例えば、試験用の）有線および／または無線通信ネットワークにおける試験シナリオで利用されてもよい。１つまたは複数のエミュレーションデバイスは、試験装置とすることができる。データを送信および／または受信するために、直接ＲＦ結合、および／またはＲＦ回路（例えば、１つまたは複数のアンテナを含むことができる）を介する無線通信が、エミュレーションデバイスによって使用されてもよい。
【００６４】
空間変調ＭＩＭＯ（SM-MIMO）は、送信機における複数のアンテナインデックスに対して情報を変調し、無線周波数（RF）チェーンの数を送信アンテナの数未満にすることのできる変調技法であってもよい。これは、ＭＩＭＯと比較して、全体のコストおよび電力消費量を低減することができる。ＳＭ−ＭＩＭＯは、主として、スペクトル効率（SE）よりもエネルギー効率（EE）を目標とすることができる。
【００６５】
リンク適応は、例えば、チャネル状態に基づき、動的に構成された１つまたは複数のパラメータを送信するために使用されてもよい。リンク適応は、いくつかのリンク基準を最適化するようにパラメータを構成することができる。適応変調符号化（AMC）は、例えば、スペクトル効率（SE）を最大化するために、現在のチャネル状態および望ましい誤り率に基づいて変調および符号化方式を調整するために使用されてもよいリンク適応方式とすることができる。多入力多出力（MIMO）技術は、より高いＳＥを目標とすることができる。空間多重化（SMX）は、複数の同時のデータストリームが、同じ無線チャネルを介して送信および受信されてもよいようにすることができるＭＩＭＯ技法である。いくつかのチャネル条件は満たされる必要があり、したがって、ＳＥを最大にするために、現在のチャネル状態に基づき、ＳＭＸモードを動的に調整することによって、リンク適応が適用されてもよい。
【００６６】
ＳＭ−ＭＩＭＯは、低コストデバイス、およびエネルギー効率動作を目標とすることのできる強力な通信技法とすることができる。リンク適応は、これらのシステムが遭遇することがあるチャネル状態を変化させることに基づき、ＳＥを高めるために使用されてもよい。
【００６７】
不連続受信（DRX）は、無線送受信ユニット（WTRU）によって使用される電力節約機構の１つとすることができる。ＤＲＸは、アイドルモード、またはＲＲＣ接続モードで使用されてもよい。例えば、ＷＴＲＵが、ＲＲＣ接続モードにおいて、受信または送信すべきデータを有しない場合、ＷＴＲＵは、短い時間間隔の間、その送受信機をオフに切り換えることができる。ＷＴＲＵは、例えば、図１Ｅで示されるように、ウェイクアップとスリープのサイクルを開始することができる。ＤＲＸサイクル１９４のウェイクアップ期間１９０の間、例えば、ＷＴＲＵは、ＵＬまたはＤＬ許可を求めて、物理ダウンリンク制御（PDCCH）チャネルを監視することができ、一方、ＤＲＸサイクル１９４のスリープ期間１９２は、電力を保存するためにＷＴＲＵよって使用され、したがって、電池の節約を向上させることができる。
【００６８】
空間変調に関連する設計が開示される。アナログの空間変調は、物理的なアンテナに限定され、またアナログ領域で制限を受けて動作することができる。空間変調に対しては、デジタル領域が使用されてもよい。空間変調は、アナログ領域では一次元に限定され、制限があり、柔軟性が劣ることもある。デジタル領域を含む多段階および多次元が、例えば、柔軟性、トレードオフ、および最適化に対して使用されてもよい。空間変調に対して、チャネル推定システムおよび／またはパイロットトレーニングシステムが提供されてもよい。例えば、空間変調を使用したエネルギー節約機構が提供されてもよい。
【００６９】
本明細書で開示される特徴は、以下の１つまたは複数のものを提供することができる、すなわち、デジタル空間変調の異なる変形形態を含むことのできるデジタル空間変調、組み合わされた、または結合されたデジタル領域とアナログ領域を含むことのできるハイブリッド空間変調、チャネル推定および／またはパイロットトレーニングシステム、ならびに／またはエネルギー効率および／または電力節約機構である。アナログ空間変調は、古典的な空間変調、従来の空間変調、または本開示の全体にわたる空間変調と、相互に交換可能に使用されてもよい。
【００７０】
デジタル空間変調に対するシステム、方法、および手段が開示される。アナログ空間変調では、１つまたは複数の物理アンテナを活性化することが情報を伝達することができる。本明細書で開示されるデジタル空間変調は、１つまたは複数の仮想アンテナを使用することができ、また仮想アンテナのインデックス符号化は、データ送信を容易にすることができる。デジタル空間変調では、例えば、物理アンテナの使用に代えて、および／またはそれに加えて、仮想アンテナのインデックス符号化が実施されてもよい。デジタル空間変調を使用すると、情報は、送信機で符号化され、仮想アンテナの使用に対する識別により受信機で復号されてもよい。
【００７１】
仮想アンテナまたは送信レイヤは、コードブックによりインデックス付けされてもよい。仮想アンテナもしくは送信レイヤ、またはそれらの組合せは、インデックス符号化されてもよい。例えば、コードブックは、インデックスのセットを含むことができる。コードブックは、ユーザデバイスとネットワークデバイス、または送信機と受信機の両方で知られてもよい。コードブックは、ユーザデバイスとネットワークデバイスとの間、または送信機と受信機との間で同期化されてもよい。コードブックの同期化は、デジタル空間変調に関する情報の符号化および復号を支援することができる。
【００７２】
例えば、デジタル空間変調システムは、１つまたは複数の送信アンテナＮT、および１つまたは複数の受信アンテナＮRを含むことができる。形成されてもよい１つまたは複数のデジタル送信レイヤは、Ｎmax_layerによって示されてもよい。１つまたは複数のアクティブなデジタルレイヤは、Ｎactive_layerによって示されてもよい。Ｎactive_layerは、Ｎmax_layer未満、または等しくすることができる。情報ビットは、Ｎmax_layerの中の１つまたは複数のＮactive_layer送信レイヤを活性化させることによって符号化され、かつ搬送されてもよい。搬送され、かつ符号化されてもよい情報ビット数は、
【００７３】
【数１】
2019531624.tif 000003
【００７４】
ビットとすることができる。
【００７５】
図２は、デジタル空間変調システム２００を示す送信機ブロック図である。図２で示されるように、デジタル空間変調送信機は、シリアルパラレルブロック２０２、信号変調ブロック２０４、仮想アンテナインデックス符号化ブロック２０６、レイヤマッピングブロック２０８、またはベースバンドプリコーディングブロック２１０のうちの１つまたは複数のものを含むことができる。アナログビーム形成ブロック２１２は、ｍｍＷ送信ビームのアナログビーム形成をサポートするために含まれてもよい。
【００７６】
図２で示されるように、シリアルパラレルブロック２０２は、データビット（例えば、符号化されたデータビット）を２つのセットへと分割することができる。２つのセットは、振幅位相変調（APM）ビット、および仮想アンテナインデックスビットとすることができる。信号変調ブロック２０４は、ＡＰＭビットを、例えば、４相位相変調（QPSK）、１６直交振幅変調（16-QAM）などの信号配列にマッピングすることができる。仮想アンテナインデックスビットは、仮想アンテナインデックス符号化ブロック２０６によってインデックス符号化されてもよい。信号変調ブロック２０４および仮想アンテナインデックス符号化ブロック２０６の出力は、レイヤマッピングブロック２０８への入力として提供されてもよい。レイヤマッピングブロック２０８において、信号変調ブロック２０４の出力は、１つまたは複数の送信レイヤＮSにマッピングされてもよい。仮想アンテナインデックスビットは、レイヤマッピングブロック２０８において、データを送信するために使用される特定のレイヤを選択することができる。レイヤマッピングブロック２０８の出力は、ベースバンドプリコーディングブロック２１０への入力として提供されてもよい。ベースバンドプリコーディングブロック２１０の出力は、ＮRFベースバンド処理チェーンまたはＲＦチェーンを使用して、ＮS送信レイヤを搬送することができる。アナログビーム形成ブロック２１２は、伝播損失を補償するために、または信号対雑音比（SNR）を向上させるために使用されてもよい。ＮRFベースバンド処理チェーンまたはＲＦチェーンは、データ信号を送信するためにＮTXアンテナに接続することができる。
【００７７】
コードブックインデックスベースのデジタル空間変調が開示される。デジタルレイヤは、コードワードにより表されてもよい。コードワードは、コードブックにより表されてもよい。コードブックは、送信機および受信機で、またはネットワークデバイス（例えば、ｅＮｏｄｅＢ（eNB）もしくは５ＧＮｏｄｅＢ（gNB））もしくはユーザデバイスで使用されてもよい。送信機は、コードワードをコードブックから選択することができる。送信機は、選択されたコードワードを使用して、データを送信するための送信レイヤを形成することができる。送信機および受信機は、開ループ動作、または閉ループ動作の１つまたは複数のものを使用して動作することができる。例えば、コードブックにおけるコードワードの合計数は、Ｌとして示されてもよい。送信機は、Ｌ個の可能なコードワードからＬC個のコードワードを選択することができる。送信機は、選択されたコードワードを使用して、情報ビットを符号化することができる。この方法を使用することにより、
【００７８】
【数２】
2019531624.tif 000004
【００７９】
の情報ビットが送信されてもよい。受信機は、送信された情報ビットを受信し、かつ復号することができる。
【００８０】
コードワード、およびコードワードの組合せは、インデックス付けされてもよい。コードワード、および／またはコードワードの組合せのインデックスは、送信機および受信機に知られてもよい。送信機は、情報ビットをコードワードまたはコードワードの組合せへと符号化することができる。送信機は、コードワードまたはコードワードの組合せを送信することができる。例えば、送信機は、情報ビット００００をコードワード１に、また情報ビット０１１０をコードワード１と４の組合せに符号化することができる。受信機は、コードワード１を検出し、かつ情報ビット００００を復号する、またはコードワード１および４の組合せを検出し、かつ情報ビット０１１０を復号することができる。異なるインデキシング法、またはインデックス符号化法が使用されてもよい。例えば、コードブックが４つのコードワードを有すると仮定すると、表１で示されたインデキシングが使用されてもよい。
【００８１】
【表１】
2019531624.tif 000005
【００８２】
開ループ動作では、送信機は、例えば、データビットから導出された情報に基づいてコードワードを選択することができる。閉ループ動作では、受信機は、１つまたは複数の最良のＫコードワード、最良のＫコードワードのサブセット、または最良のＫコードワードの組合せをフィードバックすることができる。送信機は、受信機のフィードバックレポートにおけるコードワードまたはコードワードの組合せから、コードワードまたはコードワードの組合せを選択することができる。選択されたコードワードは、これだけに限らないが、最良のＫコードワード、最良のＫコードワードのサブセット、または最良のＫコードワードの組合せを含むことができる。
【００８３】
例では、受信機により報告された最良のＫコードワードは、閉ループ動作に対して使用されてもよい。閉ループを実施することは、開ループと比較して最良のものであってもよい。開ループ動作は、これだけに限らないが、日和見主義的（opportunistic）動作または高いモビリティに対して使用され、閉ループ動作は、これだけに限らないが、決定性動作または低いモビリティに対して使用されてもよい。
【００８４】
プリコーディング行列インジケータ（PMI）ベースの空間変調が開示される。送信レイヤは、プリコーディング行列またはプリコーディングベクトルによって形成されてもよい。コードワードは、プリコーディング行列またはプリコーディングベクトルとすることができる。コードワードインデックスは、プリコーディング行列インジケータ（PMI）、プリコーディングベクトルインジケータ（PVI）、またはそれらのサブセットによって表される、または含まれてもよい。送信機（例えば、ｇＮＢ）は、１つまたは複数のＰＭＩもしくはＰＶＩを選択し、送信することができる。送信機は、ダウンリンク制御チャネル（例えば、物理ダウンリンク制御チャネル（PDCCH）、拡張物理ダウンリンク制御チャネル（E-PDCCH）など）を介して、ＰＭＩまたはＰＶＩを送信することができる。送信機は、ＷＴＲＵ特有の参照信号（RS）（例えば、復調参照信号（DMRS）、パイロットなど）を介して、ＰＭＩまたはＰＶＩを送信することができる。例えば、Ｌ個のＰＭＩから１つのＰＭＩを選択することによって、送信機は、
【００８５】
【数３】
2019531624.tif 000006
【００８６】
の情報ビットを符号化することができる。符号化された情報ビットは、受信機で復号されてもよい。
【００８７】
例えば、ユーザデバイスからのフィードバックに基づいて、送信機によって使用されるＰＭＩのセットは制限されてもよい。受信機またはユーザデバイスは、最良のＫ個のＰＭＩを報告することができる。送信機（例えば、ｇＮＢ）は、受信機またはユーザデバイスから受信された最良のＫ個のＰＭＩのうちの１つを選択することができる。送信機は、
【００８８】
【数４】
2019531624.tif 000007
【００８９】
の情報ビットを符号化することができる。符号化された情報ビットは、受信機で復号されてもよい。
【００９０】
例では、送信機（例えば、ｇＮＢ）は、送信機によって使用されるＰＭＩを示すことができる。送信機は、ＰＭＩを使用して、さらなる情報を搬送することができる。受信機は、サポートされてもよいレイヤの最大数を報告することができる。
【００９１】
例では、受信機は、サポートされてもよいレイヤの最大数、それに関連付けられた１つまたは複数のプリコーディング行列を報告することができる。送信機は、データビットに含まれている情報を使用して、報告されたプリコーディング行列から１つまたは複数のレイヤを選択することができる。
【００９２】
ＰＭＩは、受信機特有の参照信号（例えば、ＤＭＲＳ）により搬送されてもよい。プリコーディングされた、またはビーム形成された参照信号が使用されてもよい。受信機は、送信機によって送信された、受信されたＷＴＲＵ特有のＲＳから、ＰＭＩ情報を引き出すことができる。送信機は、ＰＭＩを選択することができる。送信機は、選択されたＰＭＩを使用してプリコーディングされたＲＳを選択することができる。送信機は、プリコーディングされたＲＳを送信することができる。送信機は、送信機で使用されたＰＭＩを受信機に示すことができる。送信機は、ＲＳを使用して、ＲＳに対するＰＭＩの選択を使用してさらなる情報を搬送することができる。受信機は、プリコーディングされたＲＳを復号して、検出受信機を使用してプリコーディングされたＲＳに埋め込まれたＰＭＩを取得することができる（例えば、最尤法）。受信機は、ＰＭＩを復号して情報ビットを取得することができる。
【００９３】
デジタル空間変調を可能にするための制御が開示される。仮想アンテナ、または仮想送信レイヤがインデックス付けされてもよい。コードブックは、送信機（例えば、ｇＮＢ）、および受信機（例えば、ＷＴＲＵ）に知られている複数のアンテナポートまたは送信レイヤを含むインデックスのセットを含むことができる。コードブックは、送信機と受信機との間で同期化されてもよい。コードブックは、送信機と受信機との間で伝達されてもよい。コードブックは、以下の１つまたは複数のものを使用して同期化され、かつ／または伝達されてもよい、すなわち、上位レイヤ構成（例えば、無線リソース制御（RRC）シグナリングにより）、システム情報による通知、または例えば、同報通信メッセージにより大域的に利用可能なルックアップテーブルである。コードブックは、送信機および受信機で、事前設定またはハードコード化されてもよい。
【００９４】
コードブックインデックスのサブセットが使用されてもよい。コードブックまたはコードブックインデックスの何らかの制限が適用されてもよい。複数のコードブックが使用されてもよい。コードブック、複数のコードブック、またはコードブックのサブセットに関する情報が、送信機と受信機との間で伝達されてもよい。情報は、以下の１つまたは複数のものを使用して伝達されてもよい、すなわち、ＲＲＣシグナリング、メディアアクセス制御（MAC）制御要素（CE）、またはＬ１制御メッセージである。
【００９５】
送信機（例えば、ｇＮＢ）は、データを送信および符号化するために、コードワード、ＰＭＩ、ＰＶＩ、または同様のものを使用することができる。コードワード、ＰＭＩ、またはＰＶＩに関する情報は、制御チャネル、またはＵＥ特有の参照信号（RS）により示されてもよい。制御チャネルは、ＰＤＣＣＨ、Ｅ−ＰＤＣＣＨ、またはそれらの拡張を使用して、インスタンス化されてもよい。制御チャネルは、ＰＤＳＣＨまたは同様のものを使用して、データチャネルと多重化されてもよい。ＵＥ特有の参照信号（RS）は、復調参照信号（DMRS）とすることができる、またはＤＭＲＳもしくは参照信号法と類似のものとすることができる。
【００９６】
受信機は、最良のＫ個のコードワード、ＰＭＩ、ＰＶＩ、それらの一部、またはそれらの組合せを報告することができる。コードワードまたはコードワードの組合せのサブセットが使用されてもよい。受信機は、アップリンク制御チャネル（例えば、ＰＵＣＣＨ、ｅ−ＰＵＣＣＨ、またはＰＵＳＣＨ）を介して送信機にコードワードを送ることができる。コードワードは、ＰＵＳＣＨ上で、ＵＬ−ＳＣＨと多重化されてもよい。
【００９７】
ハイブリッドマルチレイヤ空間変調のためのシステム、方法、および手段が開示される。ハイブリッド空間変調は、デジタル空間変調（DSM）とアナログ空間変調（ASM）を組み合わせることができる。アナログ空間変調システムは、情報ビットを搬送するための送信アンテナ選択を使用することができる。１つまたは複数のアンテナ、またはアンテナのサブセットを選択し、かつオンにすることは、情報を符号化するために使用されてもよい。本明細書で開示されるハイブリッド空間変調は、送信レイヤもしくは選択を処理の第１の段階として、また物理的なアンテナ選択を処理の第２の段階として使用することができる。
【００９８】
ハイブリッド空間変調ベースのシステムは、１つまたは複数の送信アンテナＮTX、および１つまたは複数の受信アンテナＮRXを備えることができる。形成されてもよい１つまたは複数のデジタル送信レイヤは、Ｎmax_layerにより示されてもよい。１つまたは複数のアクティブなデジタルレイヤが存在することができ、それは、Ｎactive_layerにより示されてもよい。Ｎactive_layerは、Ｎmax_layer未満、または等しくすることができる。情報ビットは、Ｎmax_layerの中の１つまたは複数のＮactive_layer送信レイヤを活性化させることによって符号化され、かつ搬送されてもよい。搬送され、かつ符号化されてもよい情報ビット数は、
【００９９】
【数５】
2019531624.tif 000008
【０１００】
ビットとすることができる。１つまたは複数のアクティブな送信アンテナが存在することができ、それは、ＮTX、aにより示されてもよい。情報ビットは、ＮTXの合計アンテナから、ＮTX、aアンテナを活性化させることにより符号化され、かつ搬送されてもよい。搬送され、かつ符号化されてもよい情報ビット数は、
【０１０１】
【数６】
2019531624.tif 000009
【０１０２】
ビットとすることができる。
【０１０３】
ハイブリッド空間変調は、２つの段階を有することができる、すなわち、第１の状態のデジタル空間変調（DSM）、および第２の段階のアナログ空間変調（ASM）である。ＤＳＭは、Ｎmax_layerの中の１つまたは複数のＮactive_layer送信レイヤを活性化させること含むことができる。ＤＳＭを使用して搬送され、かつ符号化されてもよい情報ビット数は、
【０１０４】
【数７】
2019531624.tif 000010
ビットとすることができる。ＡＳＭは、ＮTXアンテナの中の１つまたは複数のＮTX、aアンテナの活性化を含むことができる。ＡＳＭを使用して搬送され、かつ符号化されてもよい情報ビット数は、
【０１０５】
【数８】
2019531624.tif 000011
【０１０６】
ビットとすることができる。Ｑとして示される、符号化されてもよい第１の段階および第２の段階処理からの情報ビットの合計数は、以下の式を使用して決定されてもよい、すなわち、
【０１０７】
【数９】
2019531624.tif 000012
【０１０８】
式１を書き替えることにより、Ｑは、以下の式を使用して表現されてもよい、
【０１０９】
【数１０】
2019531624.tif 000013
【０１１０】
振幅位相変調（APM）が、ハイブリッド空間変調と組み合わせて使用されてもよいという条件の場合、Ｑは，以下の式を使用して決定されてもよい、
【０１１１】
【数１１】
2019531624.tif 000014
【０１１２】
式中、ＱAPMは、ＡＰＭシンボルによって搬送されるビット数を表すことができる。
【０１１３】
図３は、ハイブリッド空間変調システム３００を示す送信機ブロック図である。図３で示されるように、ハイブリッド空間変調送信機は、シリアル−パラレルブロック３０２、信号変調ブロック３０４、仮想アンテナインデックス符号化ブロック３０６、物理アンテナインデックス符号化ブロック３０８、レイヤマッピングブロック３１０、ベースバンドプリコーディングブロック３１２、またはアナログビーム形成ブロック３１４のうちの１つまたは複数のものを含むことができる。
【０１１４】
図３で示されるように、シリアル−パラレルブロック３０２は、データビット（例えば、符号化されたデータビット）を３セットに分割することができる。３つのセットは、振幅位相変調（APM）ビット、仮想アンテナインデックスビット、および物理アンテナインデックスビットを含むことができる。信号変調ブロック３０４は、ＡＰＭビットを、例えば、４相位相変調（QPSK）、または１６直交振幅変調（16-QAM）などの信号配列にマッピングすることができる。仮想アンテナインデックスビットは、仮想アンテナインデックス符号化ブロック３０６によってインデックス符号化されてもよい。物理的なアンテナインデックスビットは、物理アンテナインデックス符号化ブロック３０８により、インデックス符号化されてもよい。信号変調ブロック３０４および仮想アンテナインデックス符号化ブロック３０６の出力は、レイヤマッピングブロック３１０に入力されてもよい。物理アンテナインデックス符号化ブロック３０８の出力は、送信アンテナ選択を制御することができる。
【０１１５】
信号変調ブロック３０４の出力は、レイヤマッピングブロック３１０における１つまたは複数の送信レイヤにマッピングされてもよい。仮想アンテナインデックスビットは、データを送信するための特定のレイヤを選択するために使用されてもよい。レイヤマッパーにおいて、送信レイヤの数ＮSが識別された後、それらは、ベースバンドプリコーディングブロック３１２に送達されてもよい。ベースバンドプリコーディングブロック３１２の出力は、ＮRFベースバンド処理チェーンまたはＲＦチェーンを使用して、ＮS送信レイヤを搬送することができる。ＮRFベースバンド処理チェーンまたはＲＦチェーンは、ＮTXアンテナに接続して、１つまたは複数のアンテナを使用してデータ信号を送信することができる。アナログビーム形成ブロック３１４における物理アンテナは、例えば、アンテナインデックスビット、およびアンテナインデックス符号化ブロック３０８の出力に基づいて選択されてもよい。
【０１１６】
図４は、多段処理を備えたハイブリッド空間変調を示す。図４で示されるように、４０２で、情報ビットが、送信機に入力されてもよい。情報ビットは、符号化されてもよい。４０４で、情報ビットは、本明細書で開示されるように、デジタル空間変調を使用して符号化されてもよい。４０６で、本明細書で開示されるように、情報ビットのさらなるセットが、アナログ空間変調法を使用して符号化されてもよい。４０８で、出力は、本明細書で述べられるように、ハイブリッド空間変調を使用して変調されてもよいビットとすることができる。出力は、送信レイヤおよびアンテナの形態とすることができる。
【０１１７】
図５は、多段処理を備えたハイブリッド空間変調を示す。図５で示されるように、入力データビット５０２は、データビットセットＡ５０６、およびデータビットセットＢ５０４へと分割されてもよい。データビットセットＡは、第１の段階のデジタル空間変調５１０に使用され、またデータビットセットＢは、第２の段階のアナログ空間変調５０８に使用されてもよい。
【０１１８】
図５で示されるように、信号５１２は、まず、デジタルプリコーディングユニット５１４を使用して、デジタル的にプリコーディングされてもよい。第１の段階のデジタル空間変調の場合、デジタル的にプリコーディングされた信号は、行１からＭのそれぞれに対して、送信レイヤ１（５２８）、および送信レイヤ３（５３０）にマッピングされてもよい。第２の段階の場合、行１からＭのそれぞれに対して、異なるアンテナが選択されてもよい。例えば、アンテナＡＮＴ２（５１８）は、行１に対する送信用に選択され、アンテナＡＮＴ  Ｇ（５２０）が行２に対する送信用に選択され、ＡＮＴ３（５２２）が行３の送信用に選択され、ＡＮＴ１（５２４）が行Ｍ−１の送信用に選択され、かつＡＮＴ  Ｇ−１（５２６）が行Ｍの送信用に選択されてもよい。
【０１１９】
図６は、ＱＡＭを使用したハイブリッド空間変調の例を示す。図６で示されるように、入力データビット６０２は、データビットセットＡ６０６、データビットセットＢ６０４、データビットセットＣ６１２に分割されてもよい。データビットセットＡは、第１の段階のデジタル空間変調６１０に使用され、またデータビットセットＢは、第２の段階のデジタル空間変調６０８に使用されてもよい。
【０１２０】
図６で示されるように、データビットセットＣ６１２は、例えば、ＱＡＭなど、信号変調６１４を使用して変調されてもよい。デジタルプリコーダ６１６を通過した後、変調されたシンボルは、第１の段階のデジタル空間変調６１０を使用し、その後に第２の段階のアナログ変調６０８を使用して変調されてもよい。デジタルプリコーディングが行われた後、デジタル的にプリコーディングされた信号は、行１からＭのそれぞれに対して、送信レイヤ１（６３０）および送信レイヤ３（６３２）にマッピングされてもよい。図６でさらに示されるように、第２の段階で、行１からＭのそれぞれに対して異なるアンテナが選択されてもよい。例えば、アンテナＡＮＴ２（６２０）が行１の送信用に選択され、アンテナＡＮＴ  Ｇ（６２２）が行２の送信用に選択され、ＡＮＴ１（６２４）が行３の送信用に選択され、ＡＮＴ３（６２６）が行Ｍ−１の送信用に選択され、またＡＮＴ  Ｇ−１（６２８）が行Ｍの送信用に選択されてもよい。
【０１２１】
到達角度（AoA）インデックスベースの空間変調のためのシステム、方法、および手段が開示される。ＡｏＡは、ランク付けされ、インデックスが付され、かつ／または情報を符号化し、かつ伝えるために使用されてもよい。ビーム形成は、望ましいＡｏＡに対してエネルギーを集中させるために使用されてもよい。例えば、送信機および受信機は、複数のアンテナを有することができる。送信機と受信機との間のチャネルは、送信機および受信機に知られてもよい。受信機アンテナの数、およびアンテナ開口部サイズに基づき、ＡｏＡの３６０度は、例えば、Ａ個のセクタなど、いくつかのセクタに区分されてもよい。例えば、第１のセクタは、［ｂ0、ｂ1］のＡｏＡをカバーすることができる。第２のセクタは、［ｂ1、ｂ2］のＡｏＡをカバーすることができる。Ａ番目のセクタは、［ｂA-1、ｂA＝ｂ0＋３６０］のＡｏＡをカバーすることができる。
【０１２２】
全体的に可能な到達角度がどのように区分されるかに関する情報は、送信機と受信機との間で同期化されてもよい。情報は、周期的に調整されてもよい。調整は、１つまたは複数のチャネル状態に基づくことができる。情報は、例えば、無線リソース制御（RRC）シグナリングによるなど、上位レイヤシグナリングにより同期化されてもよい。情報は、ＲＲＣ接続再構成メッセージを使用して同期化されてもよい。
【０１２３】
各セクタまたはセクタの組合せは、特定のデータ情報にマッピングされてもよい。多くても２A−１の可能なセクタの組合せがあってもよい。セクタの組合せからのデータへのマッピングは、最大で情報のＡビットをカバーすることができる。送信機は、例えば、受信機側のＡｏＡが情報ビットに関連付けられるように、アナログ、デジタル、またはハイブリッドビーム形成を使用することにより、その送信されるビームを調整することができる。
【０１２４】
例えば、Ａが４である場合、ＡｏＡの４つのセクタが存在してもよい。４つのセクタは、ａ1（例えば、カバーする角度［０、９０］）、ａ2（例えば、カバーする角度［９０、１８０］）、ａ3（例えば、カバーする角度［１８０、２７０］）、およびａ4（例えば、カバーする角度［２７０、３６０］）に対応することができる。セクタの組合せからの情報へのマッピングは、例えば、表２で示されるＡｏＡ−インデックス表とすることができる。
【０１２５】
【表２】
2019531624.tif 000015
【０１２６】
例えば、送信機が、送信される情報ビット１０１０を有する場合、送信機は、受信される角度が、セクタａ1、ａ2、およびａ3においてＡｏＡを同時に有するような方法で、ビーム形成することができる。ＡｏＡは、［０、９０］、［９０、１８０］、および［２７０、３６０］の範囲内とすることができる。ビーム形成は、送信機と受信機との間の物理チャネルに関する送信機の知識に基づくことができる。
【０１２７】
図７は、ＡｏＡインデックスベースの空間変調の例を示す。ＡｏＡが、空間変調に対するインデックスとして使用されてもよい。Ｚｅｎｉｔｈ到達角度（ZoA）が、ＡｏＡインデックス法に代えて、またはそれに加えて、空間変調のためのインデックスとして使用されてもよい。ＺｏＡインデキシング法およびＡｏＡインデキシング法は、独立して、または共に使用され、さらなる情報ビットを搬送することができる。この例では、データは、ＡｏＡ空間変調ソースを選択するようにデータビットを使用することにより表されてもよい。ＡｏＡ仮想インデックスベースの変調が使用されてもよい。仮想インデックスベースの変調が、仮想アンテナインデックスに代えて使用されてもよい。例えば、７０２は、ビット（例えば、符号化されたビット）を、ＡｏＡインデックスビット、およびＡｏＡ送信ビームを介して送信するためのデータビットへと分離する。ハイブリッドビーム形成が使用されてもよい。ハイブリッドビーム形成は、デジタルビーム形成ユニット７０４、およびアナログビーム形成ユニット７０８から７１２により実施されてもよい。アナログビーム形成は、仮想インデックスベースの変調を使用して選択された１つまたは複数の仮想ＡｏＡビームを形成するために使用されてもよい。デジタルビーム形成は、選択されたＡｏＡビームを介してデータビットの送信を行うために使用されてもよい。ＲＦチェーン７０６から７１０は、デジタルビーム形成ユニット７０４により形成されたデータビットをＲＦビームへと変調するために使用されてもよい。
【０１２８】
ＡｏＡは、ランク付け（例えば、最高から最低まで）されてもよい。ＡｏＡおよびその組合せは、例えば、表２で述べられたように、表を使用してインデックス符号化されてもよい。４つのＡｏＡセクタＡｏＡ１、ＡｏＡ２、ＡｏＡ３、およびＡｏＡ４がある場合、２４−１のセクタの組合せが可能である。情報伝達の選択肢としてＡｏＡが含まれない場合、２４の組合せとすることができる。ＡｏＡまたはその組合せにエネルギーを集中させるために、信号はビーム形成されてもよい。情報は、様々なＡｏＡまたはその組合せを使用して符号化されてもよい。Ｋ個のＡｏＡは、Ｋ個の情報ビットを伝えることができる。セクタにエネルギーを集中させるように信号がビーム形成された場合、信号は、
【０１２９】
【数１２】
2019531624.tif 000016
【０１３０】
ビットを符号化し、伝えることができる。ＡｏＡとは別に、発信角度（AoD）、他の角度情報、マルチパス、またはそれらの組合せが使用されてもよい。
【０１３１】
ＡｏＡインデックスベースの空間変調、またはＺｏＡインデックスベースの空間変調は、アナログ空間変調と組み合わせて使用されてもよい（例えば、送信アンテナ選択に使用される）。ＡｏＡ／ＺｏＡインデックスベースの空間変調は、空間変調方式のスペクトル効率を高めるのを容易にすることができる。
【０１３２】
空間変調に対する送信モードが提供されてもよい。送信モードは、上位レイヤシグナリング（例えば、ＲＲＣ構成シグナリング）、本明細書で述べられる他のシグナリング法により構成されてもよい。空間変調に対する送信モードは、本明細書で述べられるように導入され、かつ構成されてもよい。
【０１３３】
例では、送信モードＴＭｘが、空間変調のために使用されてもよい。このような送信モードＴＭｘは、ＲＲＣによって構成されてもよい。空間変調の様々なタイプ（例えば、ＤＳＭ、ＡＳＭ、またはハイブリッド空間変調（HSM））の間で切り換える制御情報は、Ｌ１制御チャネル（例えば、ＰＤＣＣＨ）によりシグナリングされてもよい。空間変調の様々なタイプは、例えば、ＤＣＩフィールドにおけるＴＭｘ＿ａビットにより示されてもよい。ＤＣＩフォーマット（例えば、既存の、または新しいＤＣＩフォーマット）が使用されてもよい。ＤＣＩフォーマットは、ＴＭｘ＿ａビットを予約し、解釈するために使用されてもよい。ＴＭｘ＿ａビットは、２ビットで構成することができる。
【０１３４】
例では、複数の新しい送信モードが使用されてもよい。送信モードは、例えば、ＤＳＭ、ＨＳＭ、およびＡＳＭを含む様々なタイプの空間変調を示すことができる。送信モードは、本明細書で開示されるように、上位レイヤシグナリング（例えば、ＲＲＣシグナリング）、または他のシグナリング機構により構成され、かつシグナリングされてもよい。
【０１３５】
空間変調のためのレイヤマッピングが実施されてもよい。信号変調（例えば、ＡＰＭまたはＱＡＭシンボル）が、１つまたは複数の送信レイヤにマッピングされてもよい。送信レイヤは、例えば、仰角（elevation）、方位角（azimuth）、偏波角（polarization）、またはビームを含むことができる。仮想アンテナインデックスビットは、シンボル（例えば、ＡＰＭまたはＱＡＭシンボル）を送信するために使用されてもよい特定の送信レイヤ、またはレイヤの組合せを選択することができる。送信レイヤのタイプおよび数は、レイヤマッパーにより決定されてもよい。送信レイヤのタイプおよび数は、仮想アンテナインデックスビットもしくはインデックス、ＴＢＳ、ＭＣＳなどに応ずることができる。
【０１３６】
図８は、物理チャネル送信ブロック図８００のブロック図を示す。ダウンリンクおよび／またはアップリンク物理チャネルを表すベースバンド信号が、本明細書で述べられるように定義されてもよい。図８で示されるように、８０２で、例えば、符号化されたビットなどのデータビットは、各コードワードでスクランブルされてもよい。コードワードは、物理チャネル上で送信されてもよい。８０４で、スクランブルされたビットは、変調されて、複素値変調シンボルを生成することができる。８０６で、最高でＬCコードワード、および最高でＮmax_layer送信レイヤに対するＭＩＭＯ送信モードが使用されてもよい。ＭＩＭＯ送信モードを使用してデジタル空間変調が実行されてもよい。複素値変調シンボルが、１つまたは複数の送信レイヤにマッピングされてもよい。変換プリコーディングが、複素値シンボルを生成するために使用されてもよい。アンテナポートでの送信のために、各レイヤで複素値変調シンボルのプリコーディングを行うことができる。プリコーディングされた複素値シンボルは、リソース要素にマッピングされてもよい。８０８で、アンテナポート８１０のそれぞれに対して、複素値時間領域ＯＦＤＭ信号が生成されてもよい。
【０１３７】
ＭＩＭＯ送信の場合、空間変調をサポートするための１つまたは複数の動作モードが提供されてもよい。使用される動作モードは、１）空間変調が何も使用されないかどうか、または２）デジタル空間変調（DSM）、３）ハイブリッド空間変調（HSM）、もしくは４）アナログ空間変調（ASM）が使用されるかどうかに応ずることができる。
【０１３８】
例えば、以下のアップリンク送信方式がサポートされてもよい、すなわち、ＭＩＭＯ送信を使用するＤＳＭ、ＭＩＭＯ送信を使用するＡＳＭ、およびＭＩＭＯ送信を使用するＨＳＭである。これらの送信方式は、Ｌ１制御メッセージ、またはＬ２制御メッセージによりシグナリングされてもよい。このモードの場合、アンテナポートの仕様は、空間変調方式とは独立することができる。例えば、送信モードは、新無線３ＧＰＰリリース１４または１５送信モードを含むことができ、また本明細書で開示される空間変調方式をサポートすることができる。
【０１３９】
１つまたは複数の送信モードが、例えば、表３で示されるように、アップリンク送信に対する空間変調をサポートするために使用されてもよい。送信モードは、単一ポート空間変調およびプリコーディングを使用する単一アンテナポート送信、およびマルチポート空間変調およびプリコーディングを使用するマルチアンテナポート送信を含むことができる。空間変調およびプリコーディングを使用することは、ダウンリンク制御チャネルでＤＣＩを使用してユーザデバイスまたは受信機に示されてもよい特定の送信モードとして定義されてもよい。単一アンテナポート、マルチアンテナポート、空間変調、またはプリコーディング送信モードのうちの１つまたは複数を含むことのできる１つまたは複数のＤＣＩモード（例えば、表３で示されるＤＣＩモード３および４）がサポートされてもよい。
【０１４０】
ユーザデバイス、または無線送受信ユニット（WTRU）は、ＷＴＲＵおよびｇＮＢ機能に基づき、新無線物理アップリンク共有チャネル（NR-PUSCH）送信を送信するように、上位レイヤシグナリングにより（例えば、ＲＲＣメッセージを使用して）、半静的に構成されてもよい。これらの機能は、いくつかのアップリンク送信モードのうちの１つに従って、制御チャネル（例えば、ＰＤＣＣＨ、Ｅ−ＰＤＣＣＨ、ＮＲ−ＰＤＣＣＨ、またはＮＲ−ｅＰＤＣＣＨ）によりシグナリングされてもよい。表３で示されるように、例えば、空間変調をサポートするために４つのアップリンク送信モード（送信モード１、２、３、および４）が提供されてもよい。４モードの中から選択されたモードは、ＷＴＲＵに使用されてもよいアップリンク送信方式のサブセットを示すことができる。例えば、チャネル状態が変化したとき、同じＷＴＲＵアプリケーションに対するＮＲ−ＰＵＳＣＨ送信は、送信モードにより可能な送信方式の中で変化する（動的に変化する）ことができる。送信モードは、例えば、ＰＤＣＣＨ、Ｅ−ＰＤＣＣＨ、ＮＲ−ＰＤＣＣＨ、またはＮＲ−ｅＰＤＣＣＨを介してＤＣＩフォーマットにより示されてもよい。
【０１４１】
【表３】
2019531624.tif 000017
【０１４２】
例えば、ＷＴＲＵが、セル無線ネットワーク仮識別（C-RNTI）によりスクランブルされた巡回冗長検査を使用してＮＲ−ＰＤＣＣＨを復号するように上位レイヤにより構成される場合、ＷＴＲＵは、ＮＲ−ＰＤＣＣＨを復号して、対応するＮＲ−ＰＵＳＣＨを送信することができる。例えば、Ｃ−ＲＮＴＩが、ＮＲ−ＰＤＳＣＨで示される場合、ＷＴＲＵは、ＮＲ−ＰＤＣＣＨを復号して、対応するＮＲ−ＰＵＳＣＨを送信することができる。１つまたは複数のＮＲ−ＰＤＣＣＨに対応することのできるＮＲ−ＰＵＳＣＨのスクランブルの初期化、および同じトランスポートブロックに対するＮＲ−ＰＵＳＣＨ再送信は、Ｃ−ＲＮＴＩに基づくことができる。
【０１４３】
空間変調は、空間マッピング表を使用することにより使用可能になってもよい。例示的な空間変調マッピング表が、図９で提供される。図９で示されるように、いくつかの符号化された入力ビットの最初の２ビットが、仮想アンテナポートを示すために使用されてもよい（例えば、仮想アンテナポート番号１、２、３、または４）。仮想アンテナポートは、送信レイヤを示すことができる。符号化された入力ビットのうちの第３のビットは、ＡＰＭシンボルビットとすることができる。ＡＰＭシンボルビットは、ＡＰＭ変調方式に基づいて変調されてもよい。ＡＰＭ変調方式は、例えば、ＤＣＩを介してシグナリングされてもよい。例えば、図９で示されるように、変調方式としてＢＰＳＫが使用されてもよいが、この場合、符号化された入力ビット１は、シンボル＋１に変調され、また符号化された入力ビット０は、シンボル−１に変調されてもよい。ＡＰＭシンボルは、仮想アンテナインデックスビットにより示された仮想アンテナポートで搬送され、かつ送信されてもよい。空間マッピング表が事前に定義され、指定され、またはシグナリングされてもよい。例えば、空間マッピング表は、ＲＲＣメッセージを介して、またはＬ１制御（例えば、ＤＣＩを介する）によりシグナリングされてもよい。
【０１４４】
マッピング表に対するインデックスは、ＤＣＩにより示され、かつＮＲ−ＰＤＣＣＨ上で搬送されてもよい。例えば、インデックスは、アップリンクＮＲ−ＰＵＳＣＨのその後の送信に対する自己完結型アップリンクサブフレームの最初にＮＲ−ＰＤＣＣＨに含まれてもよい。開ループまたは閉ループ動作に対する指示は、対応するダウンリンクＤＣＩで提供されてもよい。指示は、ＮＲ−ＰＤＣＣＨに含まれてもよい。ＮＲ−ＰＤＣＣＨにおける指示は、空間変調マッピング表インデックスを伴うことができ、またはそれは、空間変調マッピング表インデックスへの参照を含むことができる。
【０１４５】
送信デバイス（例えば、ユーザデバイスまたはネットワークデバイスにおける）は、本明細書で開示されるデジタル空間変調の方法を実施するように構成されてもよい。送信デバイスとして働くＷＴＲＵは、仮想アンテナポートを形成するためのプリコーディングベクトルのセット（例えば、コードワード）を受信するように構成されてもよい。プリコーディングベクトルの数は、空間変調に使用される仮想アンテナポートの数に基づくことができる。プリコーディングベクトルのセットは、ＷＴＲＵ特有の方法で構成される、または示されてもよい。プリコーディングベクトルのセットは、事前定義のコードブックのサブセットとすることができる。１つまたは複数のプリコーディングされた参照信号が、空間変調に使用されてもよい。各プリコーディングされた参照信号は、仮想アンテナポートとすることができる。ＷＴＲＵは、送信するための時間／周波数リソース（例えば、リソース要素）を受信することができる。ＷＴＲＵは、リソースにおけるビットを２つのセットに分割することができる。２つのセットは、ＡＰＭビットおよび仮想アンテナインデックスビットとすることができる。ＷＴＲＵは、データシンボルを送信するための仮想アンテナポートを決定することができる。ＷＴＲＵは、時間／周波数リソースに関連付けられた情報ビットに基づいて、仮想アンテナポートを決定することができる。ＷＴＲＵは、プリコーディングベクトルのセットに基づき、仮想アンテナポートに関連付けられたデータシンボル（例えば、プリコーディングされた参照信号）を送信することができる。
【０１４６】
本明細書で述べられるように、送信デバイスは、ハイブリッド空間変調（HSM）に対して構成されてもよい。ＨＳＭ送信手順は、ＤＳＭおよびＡＳＭを含むことができる。ＨＳＭ送信手順は、ハイブリッド空間変調の機能性を、アナログ空間変調の機能性と組み合わせることができる。ＨＳＭは、ＨＳＭ手順およびＡＳＭ手順を組み合わせる手順において、ＤＳＭおよびＡＳＭの利益を活用することができる。
【０１４７】
チャネル推定およびパイロットトレーニングのためのシステム、方法、および手段が開示される。アナログ空間変調のためのチャネル推定が開示される。物理アンテナインデックスが情報を伝達することができる空間変調は、アナログ空間変調と呼ばれてもよい。アナログ空間変調に基づくシステムでは、復調のための参照信号が、物理アンテナを介して送信されてもよい。復調のための参照信号は、参照信号用に（例えば、参照信号のためだけに）使用されてもよい専用のタイムスロットにおいて提示されてもよい。変調されたデータシンボルは、物理アンテナのサブセット、および／またはＲＦチェーンのサブセットを使用して送信され、また専用の参照信号タイムスロットの後に送信されてもよい。参照信号およびデータ信号は、時間で分離されてもよい。空間変調送信からの電力効率は、データシンボル送信タイムスロット内で取得されてもよい。
【０１４８】
図１０は、アナログ空間変調システムに対する例示的な参照信号設計１０００を示す。ＮTX物理アンテナおよびＮRF無線周波数（RF）フロントエンドチェーンが、送信機で利用可能であってもよい。データシンボルは、図１０で示されるように符号化され、変調されてもよい。図１０で示されるように、Ｓ／Ｐブロック１００２は、データビット（例えば、符号化されたデータビット）を、ＡＰＭシンボルビットとアンテナインデックスビットとに分割することができる。シンボルマッピングブロック１００４は、ＡＰＭシンボルビットを変調されたシンボルへと変調することができる。アンテナインデックス符号化ブロック１００６は、アンテナインデックスビットを符号化することができる。空間ストリームパーサ／レイヤマッパー１００８は、変調されたシンボルをＮSデータストリームにマッピングすることができる。送信機は、アナログ空間変調を使用してＮSデータストリームを送信することができ、またさらなるビットは、空間変調（例えば、アンテナ）インデックス符号化により搬送されてもよい。ＮSは、ＮRF以下とすることができ、またＮRFは、ＮTX以下であってもよい。アンテナインデックスビットを伝達するために、いくつかの組合せを利用することができる。組合せの数は、アンテナインデックス符号化アルゴリズム、および関連する実装形態に依存することができる。
【０１４９】
例えば、ＲＦチェーンは、物理アンテナのグループに固定されてもよい。アンテナスイッチ１０１４は、ＲＦチェーンスイッチによって使用可能にされてもよい。
【０１５０】
【数１３】
2019531624.tif 000018
【０１５１】
の組合せが、アンテナインデックスビットを搬送するために利用可能であってもよい。チャネル推定は、ＮRF仮想チャネルに対して必要となることがある。例では、各ＲＦチェーンは、物理アンテナ間で切り換え可能であってもよい。
【０１５２】
【数１４】
2019531624.tif 000019
【０１５３】
の組合せがアンテナインデックスビットを搬送するために利用可能であってもよい。チャネル推定は、ＮTX物理チャネルに対して必要とされてもよい。
【０１５４】
参照シンボルは、受信機が、１つまたは複数の可能な送信ＲＦチェーン／送信アンテナからのチャネルを推定し、復調を実施するために使用されてもよい。図１１は、参照信号に対する例示的な送信図を示す。図１１で示されるように、参照シンボルは、Ｎa×Ｎbのサイズの拡散行列（spreading matrix）１１０２に渡されてもよい。参照シンボルは、Ｎa空間ストリーム、およびＮbタイムスロットに拡散されてもよい。空間ストリームは、ＴXチェーン１１０４から１１０６を使用し、アンテナスイッチ１１０８に接続されたＮTX送信アンテナを使用して送信されてもよい。拡散行列１１０２は、標準の行列、またはシグナリングすることができ（例えば、送信前にシグナリングされる）、したがって、拡散行列１１０２は、送信機および受信機で利用可能である。例えば、ＮaがＮTXに等しい場合、ＮbがＮTXに等しい。拡散行列Ｍは、
【０１５５】
【数１５】
2019531624.tif 000020
【０１５６】
に等しくなってもよい。
【０１５７】
例では、ＮTXは、ＮRFに等しいこともあってもよい。このような場合、拡散行列Ｍは、恒等行列またはユニタリ行列とすることができる。拡散行列Ｍが恒等行列である場合、参照シンボルは、ＮTXタイムスロットで送信されてもよい。各タイムスロットにおいて、１つのＴｘアンテナが、参照シンボルｓを送信するために使用されてもよいが、他のアンテナは、オフに切り換えられてもよい。あるいは、シンボルｓは、タイムスロットごとに位相回転されてもよい。位相回転パターンは、指定される、またはシグナリングされてもよい。
【０１５８】
拡散行列Ｍがユニタリ行列である場合、参照シンボルｓは、ＮTXタイムスロットで送信されてもよい。各タイムスロットにおいて、ＴXアンテナのそれぞれが、送信のために使用されてもよい。タイムスロットｋにおける第１のアンテナは、変調された参照シンボルＭl、kｓを送信することができる。あるいは、シンボルｓは、タイムスロットごとに位相回転されてもよい。位相回転パターンは指定される、またはシグナリングされてもよい。参照シンボルｓは、シーケンス、またはシーケンスのセットによって置き換えられてもよい。例えば、ｓは、［ｃ1、ｃ2、・・・、ｃu］に等しくすることができる。ｋ番目のタイムスロットにおいて第１のアンテナでは、変調されたシーケンスＭl、kｓは、［Ｍl、kｃ1、Ｍl、kｃ2、・・・、Ｍl、kｃu］に等しい。Ｍl、kｓが送信されてもよい。
【０１５９】
例では、ＮTXは、ＮRFよりも大きくすることができる。このような場合では、拡散行列ＭにおけるＮRF要素は、各タイムスロットにおいて非ゼロ値を有することができる。拡散行列Ｍは、恒等行列とすることができる。この場合、参照シンボルｓは、ＮTXタイムスロットで送信されてもよい。各タイムスロットにおいて、１つのＴｘアンテナが、ｓを送信するために使用されてもよいが、他のアンテナは、オフに切り換えられてもよい。あるいは、シンボルｓは、タイムスロットごとに位相回転されてもよい。位相回転パターンは指定される、またはシグナリングされてもよい。拡散行列Ｍは、１つまたは複数のＮRF×ＮRF部分行列を含む行列とすることができる。各部分行列は、ユニタリ行列とすることができる。例えば、２つのＲＦチェーンおよび４つのアンテナが利用可能である場合、Ｍは、
【０１６０】
【数１６】
2019531624.tif 000021
【０１６１】
に等しくすることができ、式中、Ｍ1およびＭ2は、２×２のユニタリ行列とすることができる。Ｍ1は、Ｍ2と同一であってもよく、異なってもよい。参照シンボルｓは、最初の２つのタイムスロットで、アンテナ１およびアンテナ２を使用して、また最後の２つのタイムスロットで、アンテナ３およびアンテナ４を使用して送信されてもよい。参照シンボルｓは、シーケンス、またはシーケンスのセットによって置き換えられてもよい。例えば、ｓは、［ｃ1、ｃ2、・・・、ｃu］に等しくすることができる。ｋ番目のタイムスロットにおける第１のアンテナでは、変調されたシーケンスＭl、kｓは、［Ｍl、kｃ1、Ｍl、kｃ2、・・・、Ｍl、kｃu］に等しい。Ｍl、kｓが送信されてもよい。
【０１６２】
例では、ＮaはＮTXに等しくすることができ、またＮbはＮTXよりも大きくすることができる。この場合、１つのタイムスロットは、１つのチャネル係数に対する正確なチャネル状態情報を決定するのに十分ではないこともある。したがって、チャネル推定を行うには、複数のタイムスロットが使用されてもよい。
【０１６３】
例では、ＮaはＮTXに等しくすることができ、またＮbはＮTX未満にすることができる。この場合、１つのタイムスロットが、複数のチャネル係数を推定するために使用されてもよい。例えば、直交トレーニングシーケンスが、各タイムスロットにおける様々な空間ストリームに対して使用されてもよい。受信機は、シーケンスの自己相関または相互相関を使用して、それらの間を区別することができる。受信機は、複数の推定されたチャネル係数を回復することができる。
【０１６４】
図１２は、ＮTXアンテナを介する参照信号およびデータの例示的な送信を示す。この場合、エネルギー節約は、参照シンボルとデータシンボルＤとを、異なるタイムスロットに分離することにより維持されてもよい。参照シンボル１２０２、１２０４、および１２０６は、Ｎbタイムユニット／スロットを使用して、Ｔｘアンテナのそれぞれ、またはＴｘアンテナのサブセットを介して送信されてもよい。データシンボルは、空間変調方式を使用して送信されてもよい。空間変調方式は、アンテナインデックスを使用して、情報ビットを伝達することができる。
【０１６５】
図１３は、共通参照シンボルフィールド、およびパイロット参照シンボルの例示的な送信を示す。参照信号は、未使用のアンテナを使用して送信されてもよい。共通参照シンボルフィールド１３０２、１３０４、および１３０６は、データ送信前に専用のタイムスロットで送信されてもよい。共通参照シンボルフィールド１３０２、１３０４、および１３０６は、本明細書で述べられるように送信されてもよい。図１２で示される送信と比較して、より少ないタイムスロットが、共通参照シンボルフィールド１３０２、１３０４、および１３０６に割り振られてもよい。パイロット参照シンボルＰは、データ送信Ｄと共に（例えば、交互配置されて）送信されてもよい。空間変調方式を使用する場合、正常に変調されたシンボルを送信するために１つまたは複数のアンテナが使用されてもよいが、他のアンテナはミュートされてもよい。送信アンテナの選択は、伝達されるアンテナインデックスビットに依存することになることがある。
【０１６６】
ミュートされたアンテナは、データ送信がミュートされるが、パイロット参照シンボルを搬送するために使用されてもよい。データシンボルおよびパイロットシンボルは、以下の１つを使用することにより区別されてもよい。例えば、データシンボルおよびパイロットシンボルの電力が調整されてもよい。パイロットシンボルは低電力で送信されてもよい。例では、データシンボルおよびパイロットシンボルの変調次数が調整されてもよい。パイロットシンボルは、ＢＰＳＫ変調で送信されてもよいが、データシンボルは、ＱＰＳＫまたはより高次の変調を使用して送信されてもよい。シーケンスが、１つまたは複数のパイロットで使用されてもよい。拡散シーケンスがパイロット送信に使用されて、チャネルの回復を助けることができる。
【０１６７】
受信機において、連続干渉除去受信機が実施されてもよい。データストリームが検出されてもよい。検出されたデータストリームは訂正されてもよい。訂正されたデータストリームは、パイロットシンボルの残りを検出し、チャネル状態情報を回復させるのを助けることができる。
【０１６８】
ハイブリッド空間変調に対するチャネル推定が開示される。ハイブリッドビーム形成方式が、空間変調と組み合わされてもよい。図１４は、例示的なハイブリッド空間変調システムを示す。図１４で示されるように、ＮTX物理アンテナ、およびＮRF無線周波数フロントエンドチェーンが送信デバイスで利用可能であってもよい。送信デバイスは、変調のタイプを使用して、ＮSデータストリームを送信することができる。変調されたシンボルは、レイヤマッピングブロック１４０８における複数レイヤにマッピングされてもよい。例えば、ＮSのレイヤが存在してもよい。ベースバンドプリコーディングブロック１４１０では、ベースバンドプリコーディング演算がＮS入力シンボルをマッピングするのに適用されて、ＮRF出力シンボルを生成することができる。ＮRFシンボルは、アナログプリコーディング演算に渡され、ＮTXアンテナ１４１２を介して送信されてもよいＮTXシンボルにマッピングされてもよい。さらなるアンテナインデックスビットが、アンテナまたは仮想アンテナインデックス符号化により搬送されてもよい。
【０１６９】
仮想アンテナインデックス符号化アルゴリズムが実施されてもよい。例では、仮想アンテナインデックス符号化は、ベースバンドプリコーディングの前に実施されてもよい。例えば、ベースバンドプリコーダブックが指定され、または事前に定義され、かつ送信機と受信機との間でシグナリングされてもよい。プリコーダブックは、Ｋ個の異なるプリコーディングウェイトを含むことができる。到来するアンテナインデックスビットの値に基づき、送信機は、コードブックの中のＫから、ＮSプリコーディングウェイトを選択することができる。送信機は、ＮS個の選択されたウェイトで、変調されたシンボルを送信することができる。
【０１７０】
例では、仮想アンテナインデックス符号化アルゴリズムは、ベースバンドプリコーディングの後に実施されてもよい。例えば、合計ＮRFのＲＦチェーンから得られたアンテナインデックスビットの値に基づいて、Ｎ使用ＲＦチェーンが選択されてもよい。ベースバンドプリコーディング演算の出力は、ＮRFシンボルに代えて、Ｎ使用シンボルとすることができる。Ｎ使用シンボルは、アンテナインデックスビットの値に基づき、選択されたＲＦチェーンに割り振られてもよい。他の例では、仮想アンテナインデックス符号化は、アナログプリコーディングの前または後に実施されてもよい。
【０１７１】
参照シンボルは、受信機によって使用されて、可能な送信ＲＦチェーンまたはＴｘアンテナのそれぞれからのチャネルを推定し、かつ復調を実施することができる。図１５は、参照シンボルに対する例示的な送信図を示す。参照シンボルは、Ｎa×Ｎbのサイズを有する拡散行列Ｍ１５０２に渡されてもよい。拡散行列１５０２は、参照シンボルを時間および空間領域に拡散させるために使用されてもよい。参照シンボルは、Ｎa空間ストリームおよびＮbタイムスロットに拡散されてもよい。拡散行列Ｍ１５０２は、基準で指定される、または例えば、送信前に送られるなどシグナリングされてもよい。送信機と受信機は共に拡散行列を知ることができる。例では、ＮaはＮRFに等しくすることができる。参照シンボルは、ＲＦチェーンのそれぞれを介して送信されてもよい。参照シンボルは、同時に、または順次送信されてもよい。参照シンボルは、プリコーディングされる、またはプリコーディングされないこともある。
【０１７２】
仮想アンテナインデックス符号化がベースバンドプリコーディングの前に実施される例では、参照信号は、プリコーディングブックに定義されたプリコーディングウェイトのそれぞれを使用して送信されてもよい。例では、参照信号は、プリコーディングブックで定義された直交する（例えば、非相関の）プリコーディングウェイトのそれぞれを使用して送信されてもよい。ウェイトの残りのものは、直交する（例えば、非相関の）プリコーディングウェイトから構成されてもよい。例では、参照信号は、ＮRF×ＮRFのサイズを有するユニタリ行列を使用することができる。ユニタリ行列を使用することは、受信機がＮRF仮想チャネル状態情報を推定できるようにする。受信機は、プリコーディングされたチャネルを回復することができる。アナログプリコーディングブロック１５０６が、ベースバンド符号化および／またはユニタリ演算１５０４の後に適用されてもよい。
【０１７３】
仮想アンテナインデックス符号化が、ベースバンドプリコーディングの後に、またはアナログプリコーディングの前に実施されてもよい例では、参照信号は、ＮRF×ＮRFのサイズのユニタリ行列を乗算することによって送信されてもよい。これは、受信機が、ＮRF仮想チャネル状態情報を推定できるようにする。アナログプリコーディングブロック１５０６は、ベースバンド符号化および／またはユニタリ演算１５０４の後に適用されてもよい。
【０１７４】
仮想アンテナインデックス符号化が、アナログプリコーディングの後に実施されてもよい例では、参照信号が、アナログプリコーディングブロック１５０６によってプリコーディングされないこともある。参照信号は、可能なＴｘアンテナのそれぞれを介して送信されてもよい。空間変調を使用したエネルギー節約動作が開示される。空間変調を使用して、より高いエネルギー節約、および／または低い電力消費量を提供できる様々なエネルギー節約機構が提案される。本明細書で開示される２次元マルチレベルＤＲＸ機構は、受信機ＲＦチェーンおよび／またはベースバンド（BB）の動的な構成により、良好なエネルギー節約を提供することができる。第１の次元は、時間領域における電力節約とすることができ、また第２の次元は、ＳＭに関連付けられた送信モードにおける電力節約とすることができる。
【０１７５】
例では、ＤＲＸ制御は、ＳＭタイプごとに適用されてもよい。デジタルＳＭ、ハイブリッドＳＭ、および／またはアナログＳＭなどの空間変調のタイプに基づいて、無線周波数（RF）およびベースベンド（BB）回路のオン／オフを切り換えることにより電力を節約する様々なレベルが、図１６で示されるように提供されてもよい。様々なＤＲＸ制御およびＤＲＸパラメータ／タイマが、空間多重化および様々なタイプの空間変調に対して定義され、かつ構成されてもよい。ＤＲＸパラメータ／タイマは、ＤＲＸ不活性タイマ、短いＤＲＸサイクル、長いＤＲＸサイクル、ＤＲＸ短いサイクルタイマ、オンデュレーション（on duration）タイマ、またはＤＲＸ再送信タイマのうちの１つまたは複数のものを含むことができる。ＤＲＸパラメータまたはタイマは、空間変調の各タイプに対して事前に定義されてもよい。空間変調の特定のタイプが、ＲＲＣにより構成され、またはＬ１制御チャネルによりシグナリングされた後、対応するＤＲＸパラメータまたはタイマが適用されてもよい。
【０１７６】
例では、同じＤＲＸ制御およびＤＲＸパラメータまたはタイマが、各空間変調タイプに適用されてもよい。ＤＲＸパラメータまたはタイマは、ＤＲＸ不活性タイマ、短いＤＲＸサイクル、長いＤＲＸサイクル、ＤＲＸ短いサイクルタイマ、オンデュレーションタイマ、またはＤＲＸ再送信タイマのうちの１つまたは複数のものを含むことができる。ＤＲＸパラメータ／タイマは、空間変調タイプのそれぞれに対して、事前に定義されてもよい。
【０１７７】
上記で述べたプロセスは、コンピュータおよび／またはプロセッサにより実行するためにコンピュータ可読媒体に組み込まれたコンピュータプログラム、ソフトウェア、および／またはファームウェアで実施されてもよい。コンピュータ可読媒体の例は、これだけに限らないが、電子信号（有線および／または無線接続を介して送信される）、および／またはコンピュータ可読記憶媒体を含む。コンピュータ可読記憶媒体の例は、これだけに限らないが、読み出し専用メモリ（ROM）、ランダムアクセスメモリ（RAM）、レジスタ、キャッシュメモリ、半導体メモリデバイス、これだけに限らないが、内部のハードディスクおよび取外し可能なディスク、光磁気媒体などの磁気媒体、ならびに／またはＣＤ−ＲＯＭディスク、および／またはデジタル多用途ディスク（DVD）などの光媒体を含む。ソフトウェアに関連付けられるプロセッサは、ＷＴＲＵ、端末、基地局、ＲＮＣ、および／または任意のホストコンピュータで使用される無線周波数送受信機を実施するために使用されてもよい。
【０１７８】
本明細書の特徴および要素は、ＬＴＥ、ＬＴＥ−Ａ、新無線（NR）または５Ｇ特有のプロトコルを考慮するが、本明細書で述べられた解決策は、このシナリオに限定されず、他の無線システムに対しても同様に適用可能であることを理解されたい。
【図１Ａ】
2019531624.tif 000022
【図１Ｂ】
2019531624.tif 000023
【図１Ｃ】
2019531624.tif 000024
【図１Ｄ】
2019531624.tif 000025
【図１Ｅ】
2019531624.tif 000026
【図２】
2019531624.tif 000027
【図３】
2019531624.tif 000028
【図４】
2019531624.tif 000029
【図５】
2019531624.tif 000030
【図６】
2019531624.tif 000031
【図７】
2019531624.tif 000032
【図８】
2019531624.tif 000033
【図９】
2019531624.tif 000034
【図１０】
2019531624.tif 000035
【図１１】
2019531624.tif 000036
【図１２】
2019531624.tif 000037
【図１３】
2019531624.tif 000038
【図１４】
2019531624.tif 000039
【図１５】
2019531624.tif 000040
【図１６】
2019531624.tif 000041
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
複数の符号化されたデータビットを振幅位相変調（ＡＰＭ）ビットおよび仮想アンテナインデックスビットに分割し、
前記ＡＰＭビットを変調されたデータシンボルに変調し、
仮想アンテナポートを決定し、前記仮想アンテナポートは、前記仮想アンテナインデックスビット、およびプリコーディングベクトルのセットのうちの１つのプリコーディングベクトルに基づいて決定され、
前記変調されたデータシンボルを送信レイヤにマッピングし、前記変調されたデータシンボルは、前記決定された仮想アンテナポートに基づいて前記送信レイヤにマッピングされる
ように構成されたプロセッサと、
前記送信レイヤ上で、前記マッピングされ変調されたデータシンボルを送信するように構成された送信機と
を備えたことを特徴とする無線送信／受信ユニット（ＷＴＲＵ）。
【請求項２】
前記仮想アンテナポートは、インデックス付けされた送信レイヤであることを特徴とする請求項１に記載のＷＴＲＵ。
【請求項３】
プリコーディングベクトルの前記セットは、予め構成されていることを特徴とする請求項１に記載のＷＴＲＵ。
【請求項４】
プリコーディングベクトルの前記セットは、無線リソース制御（ＲＲＣ）シグナリングまたはシステム情報を介して受信されることを特徴とする請求項１に記載のＷＴＲＵ。
【請求項５】
プリコーディングベクトルの前記セットは、前記送信機と受信機との間で同期されることを特徴とする請求項１に記載のＷＴＲＵ。
【請求項６】
前記仮想アンテナポートは、少なくとも１つのプリコーディングされた参照信号を含むことを特徴とする請求項１に記載のＷＴＲＵ。
【請求項７】
前記プロセッサは、前記符号化されたデータビットから導出された情報に基づいて、プリコーディングベクトルの前記セットを選択するように構成されていることを特徴とする請求項１に記載のＷＴＲＵ。
【請求項８】
フィードバックプリコーディングベクトルのセットを受信するように構成された受信機をさらに備え、
前記プロセッサは、前記受信されたフィードバックプリコーディングベクトルのセットに基づいて、プリコーディングベクトルの前記セットを選択するように構成されていることを特徴とする請求項１に記載のＷＴＲＵ。
【請求項９】
プリコーディングベクトルの前記セットは、制御チャネル上で搬送されたダウンリンク制御情報を介して受信されることを特徴とする請求項１に記載のＷＴＲＵ。
【請求項１０】
前記制御チャネルは、新たな無線物理ダウンリンク制御チャネル（ＮＲ−ＰＤＣＣＨ）、新たな無線拡張物理ダウンリンク制御チャネル（ＮＲ−Ｅ−ＰＤＣＣＨ）、または新たな無線物理ダウンリンク共有チャネル（ＮＲ−ＰＤＳＣＨ）のうちの１つであることを特徴とする請求項９に記載のＷＴＲＵ。
【請求項１１】
プリコーディングベクトルの前記セットは、参照信号を介して示されることを特徴とする請求項１に記載のＷＴＲＵ。
【請求項１２】
複数の符号化されたデータビットを振幅位相変調（ＡＰＭ）ビットおよび仮想アンテナインデックスビットに分割するステップと、
前記ＡＰＭビットを変調されたデータシンボルに変調するステップと、
仮想アンテナポートを決定するステップであって、前記仮想アンテナポートは、前記仮想アンテナインデックスビット、およびプリコーディングベクトルのセットのうちの１つのプリコーディングベクトルに基づいて決定される、ステップと、
前記変調されたデータシンボルを送信レイヤにマッピングするステップであって、前記変調されたデータシンボルは、前記決定された仮想アンテナポートに基づいて前記送信レイヤにマッピングされる、ステップと、
前記送信レイヤ上で、前記マッピングされ変調されたデータシンボルを送信するステップと
を備えたことを特徴とする無線通信のための方法。
【請求項１３】
前記仮想アンテナポートは、インデックス付けされた送信レイヤであることを特徴とする請求項１２に記載の方法。
【請求項１４】
前記符号化されたデータビットから導出された情報に基づいて、プリコーディングベクトルの前記セットを選択するステップをさらに備えたことを特徴とする請求項１２に記載の方法。
【請求項１５】
受信機からフィードバックプリコーディングベクトルのセットを受信するステップと、
前記受信されたフィードバックプリコーディングベクトルのセットに基づいて、プリコーディングベクトルの前記セットを選択するステップと
をさらに備えたことを特徴とする請求項１２に記載の方法。
【請求項１６】
プリコーディングベクトルの前記セットは、制御チャネル上で搬送されたダウンリンク制御情報を介して受信されることを特徴とする請求項１２に記載の方法。
【請求項１７】
前記制御チャネルは、新たな無線物理ダウンリンク制御チャネル（ＮＲ−ＰＤＣＣＨ）、新たな無線拡張物理ダウンリンク制御チャネル（ＮＲ−Ｅ−ＰＤＣＣＨ）、または新たな無線物理ダウンリンク共有チャネル（ＮＲ−ＰＤＳＣＨ）のうちの１つであることを特徴とする請求項１６に記載の方法。
【請求項１８】
複数の符号化されたデータビットを振幅位相変調（ＡＰＭ）ビット、仮想アンテナインデックスビット、および物理アンテナインデックスビットに分割し、
前記ＡＰＭビットを変調されたデータシンボルに変調し、
仮想アンテナポートを決定し、前記仮想アンテナポートは、前記仮想アンテナインデックスビット、およびプリコーディングベクトルのセットのうちの１つのプリコーディングベクトルに基づいて決定され、
物理アンテナポートを決定し、前記物理アンテナポートは、前記物理アンテナインデックスビットに基づいて決定され、
前記変調されたデータシンボルを少なくとも１つの送信レイヤにマッピングし、前記変調されたデータシンボルは、前記決定された仮想アンテナポートに基づいてマッピングされる
ように構成されたプロセッサと、
前記物理アンテナポートを介して前記仮想アンテナポートを使用して、前記マッピングされ変調されたデータシンボルを送信するように構成された送信機と
を備えたことを特徴とする無線送信／受信ユニット（ＷＴＲＵ）。
【請求項１９】
前記物理アンテナポートは、到達角度に基づいていることを特徴とする請求項１８に記載のＷＴＲＵ。
【請求項２０】
前記プロセッサは、前記符号化されたデータビットから導出された情報に基づいて、プリコーディングベクトルの前記セットを選択するように構成されていることを特徴とする請求項１８に記載のＷＴＲＵ。
【国際調査報告】
2019531624.tif 000042
2019531624.tif 000043